(57)【要約】【課題】  利用者の健康状態を利用者に提示するためのサービスを提供し、利用者に娯楽を与えることによって当該サービスを長期間利用させることが可能なコンテンツ生成システムを提供する。【解決手段】  コンテンツ生成システム１００は、利用者の呼気から検出される情報に応じたコンテンツを提供するためのコンテンツ生成装置１０６Ａ、１０６Ｂ、及び１０６Ｃ等と、インターネット１０４を介してコンテンツ生成装置１０６Ａ、１０６Ｂ、及び１０６Ｃ等と接続され、コンテンツ生成装置１０６Ａ等から送信された呼気から検出される情報を管理し、利用者の要求に応じて、当該要求及び利用者の呼気から検出される情報に応じたコンテンツ生成用データを送信するためのサーバ装置１０２とを含む。【選択図】        図１
2010026748.tif 000002
【特許請求の範囲】
【請求項１】
利用者の生体試料から特定化学物質の濃度を検出して、濃度信号を出力する生体試料センサと、
前記生体試料センサによって出力された濃度信号の値に応じてシナリオが変化するコンテンツを生成するためのコンテンツ生成手段とを含む、コンテンツ生成装置。
【請求項２】
前記コンテンツ生成装置はさらに、表示装置を含み、
前記コンテンツ生成手段は、前記濃度信号の値に応じてシナリオが変化するコンテンツであって、前記表示装置に画像を表示するコンテンツを生成するための手段を含む、請求項１に記載のコンテンツ生成装置。
【請求項３】
前記コンテンツ生成手段は、前記生体試料センサによって出力された濃度信号の値に応じてシナリオが変化し、かつ、前記コンテンツ生成装置上でオフラインで実行されるコンテンツを生成するためのオフラインコンテンツ生成手段を含む、請求項１に記載のコンテンツ生成装置。
【請求項４】
前記オフラインコンテンツ生成手段は、前記濃度信号の値を入力として前記コンテンツを生成するためのコンピュータプログラムを実行するためのコンテンツ生成プログラム実行手段を含む、請求項３に記載のコンテンツ生成装置。
【請求項５】
前記コンピュータプログラムを外部から通信により受信するための受信手段と、
前記受信手段により受信された前記コンピュータプログラムを記憶するためのプログラム記憶手段とをさらに含む、請求項４に記載のコンテンツ生成装置。
【請求項６】
前記コンテンツ生成手段は、
前記濃度信号の値に基づき、コンテンツを生成するためのパラメータであるコンテンツ生成データを要求するデータ要求信号を生成して所定のサーバ装置に送信するための要求送信手段と、
前記サーバ装置から前記データ要求信号に応答して送信されるコンテンツ生成データを受信するためのデータ受信手段と、
前記データ受信手段によって受信されたコンテンツ生成データをパラメータとしてコンテンツを生成するための手段とを含む、請求項１に記載のコンテンツ生成装置。
【請求項７】
前記要求送信手段は、前記濃度信号の値を含むデータ要求信号を前記サーバ装置に送信するための手段を含み、
前記データ受信手段は、前記サーバ装置から前記データ要求信号に応答して送信される、前記利用者の前記濃度信号の値の、所定の利用者集合におけるランキングを受信するための手段を含み、
前記生成するための手段は、前記受信するための手段によって受信された前記利用者のランキングを提示するコンテンツを生成するための手段を含む、請求項６に記載のコンテンツ生成装置。
【請求項８】
前記生体試料センサによって出力された前記濃度信号の値の時系列を記憶するための記憶手段をさらに含み、
前記コンテンツ生成手段は、前記記憶手段に記憶された前記濃度信号の値の時系列に基づいて、前記利用者の体調の時系列を提示するコンテンツを生成するための手段を含む、請求項１に記載のコンテンツ生成装置。
【請求項９】
前記生体試料は利用者の呼気である、請求項１〜８のいずれかに記載のコンテンツ生成装置。
【請求項１０】
生体試料から検出される特定化学物質の濃度信号の値を含むデータ要求信号を任意の端末装置から受信するための要求受信手段と、
前記要求受信手段が前記データ要求信号を受信したことに応答して、前記データ要求信号中の前記濃度信号の値に依存して変化するコンテンツ生成データを生成し、前記データ要求信号を送信してきた端末装置に送信するためのデータ送信手段とを含む、サーバ装置。
【請求項１１】
コンテンツ生成装置とサーバ装置とを含むコンテンツ生成システムであって、
前記コンテンツ生成装置は、
利用者の生体試料から特定化学物質の濃度を検出して、濃度信号を出力する生体試料センサと、
前記生体試料センサによって出力された濃度信号の値に応じてシナリオが変化するコンテンツを生成するためのコンテンツ生成手段と、
前記濃度信号の値に基づき、コンテンツを生成するためのパラメータであるコンテンツ生成データを要求するデータ要求信号を、前記サーバ装置に送信するための要求送信手段と、
前記サーバ装置から前記データ要求信号に応答して送信されるコンテンツ生成データを受信するためのデータ受信手段と、
前記データ受信手段によって受信されたコンテンツ生成データをパラメータとしてコンテンツを生成するための手段とを含み、
前記サーバ装置は、
前記データ要求信号を任意の前記コンテンツ生成装置から受信するための要求受信手段と、
前記要求受信手段が前記データ要求信号を受信したことに応答して、前記データ要求信号中の前記濃度信号の値に依存して変化するコンテンツ生成データを生成し、前記データ要求信号を送信してきたコンテンツ生成装置に送信するためのデータ送信手段とを含む、コンテンツ生成システム。
【請求項１２】
利用者の生体試料から特定化学物質の濃度を検出して、濃度信号を出力する生体試料センサと、
前記生体試料センサの出力を記憶するための記憶手段と、
前記記憶手段に記憶されている前記生体試料センサの出力を用いるコンテンツをそれぞれ提示する１又は複数個のサービスを提供するためのサービス提供手段と、
利用者の操作に応答して、前記１又は複数個のサービスを選択するためのメニューを提示し、利用者からのメニューの選択入力を受けるためのメニュー選択手段と、
前記１又は複数個のサービスのうち、前記メニュー選択手段により選択されたメニューに対応するサービスを提供するサービス提供手段を起動するための起動手段とを含む、コンテンツ生成装置。
【請求項１３】
ネットワークへの接続を提供するネットワークインターフェイスをさらに含み、
前記サービス提供手段は、前記ネットワークインターフェイスを使用して他の装置と通信することにより、前記他の装置が前記記憶手段に記憶されている前記生体試料センサの出力を用いて提供するサービスを利用者に提供するためのオンラインサービス提供手段を含む、請求項１２に記載のコンテンツ生成装置。
【請求項１４】
前記他の装置が提供する前記サービスは、前記記憶手段に記憶されている前記生体試料センサの出力を用いた健康情報の提供サービスである、請求項１３に記載のコンテンツ生成装置。
【請求項１５】
前記他の装置が提供する前記サービスは、前記記憶手段に記憶されている前記生体試料センサの出力を用いた、医療機関の紹介サービスである、請求項１３に記載のコンテンツ生成装置。
【請求項１６】
前記コンテンツ生成装置はインターネットに接続されたインターネットテレビジョン装置であり、
前記他の装置はテレビジョンの番組情報サーバであり、
前記オンラインサービス提供手段は、前記記憶手段に記憶されている前記生体試料センサの出力に基づいて利用者の健康状態を判定し、当該健康状態に関連あるテレビジョン番組を前記番組情報サーバから取得して利用者に提示する番組提示手段を含む、請求項１３に記載のコンテンツ生成装置。
【請求項１７】
前記他の装置が提供する前記サービスは、前記記憶手段に記憶されている前記生体試料センサの出力を用いた、他の利用者との対比情報である、請求項１３に記載のコンテンツ生成装置。
【請求項１８】
前記他の装置が提供する前記サービスは、前記記憶手段に記憶されている前記生体試料センサの出力によって、登場するキャラクタの状態が変化するロール・プレイング・ゲームである、請求項１３に記載のコンテンツ生成装置。
【請求項１９】
前記サービス提供手段は、前記記憶手段に記憶されている前記生体試料センサの出力を用いて、前記コンテンツ生成装置上でオフラインで実行されるサービスを提供するためのオフラインサービス提供手段を含む、請求項１２に記載のコンテンツ生成装置。
【請求項２０】
前記記憶手段は、前記生体試料センサの出力を、測定日時とともに記憶するための手段を含み、
前記オフラインサービス提供手段は、前記記憶手段に記憶されている前記生体試料センサの出力及びその測定日時の時系列変化を提示するための時系列変化提示手段を含む、請求項１９に記載のコンテンツ生成装置。
【請求項２１】
前記時系列変化提示手段は、前記記憶手段に記憶されている前記生体試料センサの出力を、その測定日時に対するグラフとして提示するためのグラフ提示手段を含む、請求項２０に記載のコンテンツ生成装置。
【請求項２２】
前記オフラインサービス提供手段は、
前記生体試料センサの出力の値に対応付けた文を予め記憶するための文記憶手段と、
前記記憶手段に記憶された前記生体試料センサの出力に対応する文を前記文記憶手段から抽出し、利用者に提示するための手段を含む、請求項１９に記載のコンテンツ生成装置。
【請求項２３】
前記オフラインサービス提供手段は、
前記記憶手段に記憶された、前記生体試料センサの出力に基づいて、特定のキャラクタの成長状態を定義するパラメータを更新し記憶するためのパラメータ更新手段と、
前記パラメータ更新手段により更新され記憶されたパラメータに基づいて前記特定のキャラクタの画像を生成し表示するための手段を含む、請求項１９に記載のコンテンツ生成装置。
【請求項２４】
前記記憶手段、前記サービス提供手段、前記メニュー選択手段、及び前記起動手段は実質的にネットワークに接続可能なコンピュータ、及び当該コンピュータ上で実行されるソフトウェアにより実現され、
前記コンピュータと、前記コンピュータに接続され、前記コンピュータによって実行されるソフトウェアを記録した記録媒体と、他の装置と無線通信するための通信手段とを収容する第１の筐体と、
前記第１の筐体とは別体で、前記生体試料センサと、前記コンピュータへの入力を行なうために利用者が操作する入力装置と、前記コンピュータの前記通信手段に前記生体試料センサの出力及び前記入力装置の出力を無線により送信するための送信手段とを収容する第２の筐体とをさらに含む、請求項１２に記載のコンテンツ生成装置。
【請求項２５】
前記生体試料は呼気である、請求項１２〜請求項２４のいずれかに記載のコンテンツ生成装置。
【発明の詳細な説明】
【技術分野】
【０００１】
この発明は、コンテンツ生成装置に関し、特に、利用者の呼気から検出される情報に基づいたコンテンツを利用者に提供するためのコンテンツ生成装置、サーバ装置、及びコンテンツ生成システムに関する。
【背景技術】
【０００２】
近年、高齢化社会及び代謝症候群（メタボリックシンドローム）等の問題で、健康の自己管理が注目を浴びている。それらの問題の中で最も注目されているのは生活習慣病である。生活習慣を変えれば、生活習慣病の回避及び早期回復が可能であると言われている。したがって、疾病を患っていない者、及び自覚症状がない者であっても、常に自分の健康状態を管理して、疾病を予防する必要があると考えられている。
【０００３】
特許文献１では、医師等と患者とが互いに遠く離れていたとしても、医師等が患者の病状を把握するための遠隔評価システムが開示されている。当該遠隔評価システムは、患者によって保持され、患者の病状に関するデータを収集する患者電子データ収集装置と、当該患者電子データ収集装置からある程度離れて設けられており、当該患者電子データ収集装置に接続され、医師及び薬剤師等によって利用されるネットワークコンピュータシステムとを含む。
【０００４】
患者は、患者電子データ収集装置に患者の病状に関するデータを入力する。データの入力の仕方は、以下のようにして行なわれる。患者電子データ収集装置には、マウスピースが設けられている。患者はマウスピースに口を接触させて呼吸をする。患者電子データ収集装置は患者の呼吸を分析して、分析結果をネットワークコンピュータシステムに送信する。
【０００５】
医師及び薬剤師等は、ネットワークコンピュータシステムに送信された分析結果を見て、患者の病状が何であるかを判断することができ、また、患者に対してどの薬剤を処方するかということを決定することができる。そのことによって、医師等は、処方した薬剤を患者に対して手配することができる。患者は、わざわざ病院に赴いて、医師に直接診察されることなしに、医師等によって手配された適切な薬剤を服用することができる。
【０００６】
特許文献２では、携帯型ゲーム機を開示している。当該携帯型ゲーム機は、利用者の呼気からガスの濃度を測定するための臭いセンサと、テンキー、電源ボタン、及びスピーカ等の入出力装置と、ディスプレイ等とを備えている。携帯型ゲーム機は、臭いセンサに利用者の呼気を入力させ、入力された呼気から一酸化炭素、メタン、アンモニア等のガスの濃度を測定する。携帯型ゲーム機は、測定されたガスの濃度が大きいか、又は小さいかによって、口臭の大きさを数値で表わす。携帯型ゲーム機は、口臭の大きさの数値に応じて、予め用意されているキャラクタをディスプレイに表示する。特許文献２におけるキャラクタは、熊等の動物の顔の画像である。携帯型ゲーム機には、予め熊の顔の表情を変化させた画像が複数枚用意されている。携帯型ゲーム機は、口臭の大きさの数値に応じて、複数枚の画像のうちの１つの画像をディスプレイに表示する。したがって、特許文献２に記載の携帯型ゲーム機は、口臭の大きさに応じて異なる画像を表示するという娯楽を利用者に提供できるようになっている。
【特許文献１】特表２００３‐５１１１２４
【特許文献２】特開２００２‐２７３０３２
【発明の開示】
【発明が解決しようとする課題】
【０００７】
特許文献１に記載の技術は、既に疾病を患った者のみを対象としたサービスである。したがって、健康な状態である者及び自覚症状がない者にとって、当該サービスは、健康状態を管理し、疾病の予防を行なうために利用することが困難であるものであると言える。
【０００８】
特許文献２では、口臭の大きさに応じてキャラクタの画像を表示するためのサービスを提供している。しかし、予め用意された画像を表示するだけでは、利用者はどの画像が表示されるかという画像が出現するパターンがわかってしまい、利用者の興味を持続させることは困難である。利用者の興味を長期間持続させることができなければ、長期間の間、常に健康状態を管理するという目的を達成することは困難である。
【０００９】
また、特許文献２のキャラクタの画像では、キャラクタの表示を変化させた画像の他に、口臭が大きいか否かの文書を含む画像も用意されているが、利用者の健康状態を詳しく説明するように表現された画像はない。口臭が大きいか否かを示す画像では、医学の専門的な知識のない利用者にとっては、自分がどのような健康状態であるかを把握することは困難である。それに、口臭が大きいことを自覚していたとしても、具体的な疾病の内容について明確に提示されなければ、医師及び歯科医等に相談することなく放置される可能性がある。
【００１０】
さらに、特許文献２では、口臭の大きさに応じてキャラクタの画像を表示するためのサービスの他に、いくらかのゲームを用意しているが、これらは健康管理には関係がない。したがって、特許文献２に記載の技術も、常に健康状態を管理するという目的を達成することは困難である。
【００１１】
したがって、本発明の目的は、利用者の健康状態を利用者に提示するためのサービスを提供し、利用者に娯楽を与えることによって当該サービスを長期間利用させることが可能なコンテンツ生成装置、サーバ装置、及びコンテンツ生成システムを提供することである。
【課題を解決するための手段】
【００１２】
本発明の第１の局面に係るコンテンツ生成装置は、利用者の生体試料から特定化学物質の濃度を検出して、濃度信号を出力する生体試料センサと、生体試料センサによって出力された濃度信号の値に応じてシナリオが変化するコンテンツを生成するためのコンテンツ生成手段とを含む。
【００１３】
生体試料センサは、利用者の生体試料から、特定化学物質の濃度を検出し、コンテンツ生成手段は、生体試料センサによって出力された濃度信号に応じてシナリオが変化するコンテンツを生成する。
【００１４】
当該コンテンツ生成装置を利用すれば、利用者の生体試料によって、コンテンツのシナリオは変化するので、利用者は、当該コンテンツから自分の身体がどのような状態であるかを推測して把握し、自分の健康状態をある程度管理することができる。
【００１５】
また、当該コンテンツ生成装置の利用の対象となる者は、疾病を患っている者及び医学の専門的な知識を有する者にのみ限定されない。疾病を患っていない者が利用したとしても、コンテンツ生成手段によって生成された、濃度信号の値に応じてシナリオが変化するコンテンツを楽しむことによって、日々、自分の身体の状態を推測することができ、自分の健康状態を維持するための活動を行なおうとすることができる。また、疾病を患っていても自覚症状がない者が利用したとしても、生体試料から検出される濃度により、身体の状態が良好でないことを示唆するシナリオのコンテンツが生成される場合もあるので、当該利用者は、そのシナリオを確認して即座に専門医に相談しに行ったりすることができる。
【００１６】
さらに、コンテンツ生成手段は、利用者の生体試料によってシナリオが変化するコンテンツを生成するので、利用者は、長期間の間、楽しみながら当該コンテンツ生成装置を利用することができる。
【００１７】
その結果、利用者の健康状態を利用者に提示するためのサービスを提供し、利用者に娯楽を与えることによって当該サービスを長期間利用させることが可能なコンテンツ生成装置を提供することができる。
【００１８】
好ましくは、コンテンツ生成装置はさらに、表示装置を含む。コンテンツ生成手段は、濃度信号の値に応じてシナリオが変化するコンテンツであって、表示装置に画像を表示するコンテンツを生成するための手段を含む。
【００１９】
生成するための手段は、濃度信号の値に応じてシナリオが変化するコンテンツであって、表示装置に画像を表示するコンテンツを生成する。表示装置に表示される画像が、利用者の好みに合ったものであれば、利用者は、長期間の間、楽しみながら当該コンテンツ生成装置を利用したいと思う気持ちになることができる。したがって、利用者は、長期間の間、濃度信号に応じてシナリオが変化するコンテンツを利用することによって、自分の身体の状態をある程度推測して、健康状態を管理することができる。
【００２０】
より好ましくは、コンテンツ生成手段は、生体試料センサによって出力された濃度信号の値に応じてシナリオが変化し、かつ、コンテンツ生成装置上でオフラインで実行されるコンテンツを生成するためのオフラインコンテンツ生成手段を含む。
【００２１】
コンテンツ生成手段は、オフラインで実行されるコンテンツを生成する。したがって、利用者は、個人的又は、家庭的に当該コンテンツ生成装置を利用して、自分の健康状態を管理し、コンテンツ生成装置によって生成されるコンテンツを長期間の間、楽しんで利用することができる。
【００２２】
さらに好ましくは、オフラインコンテンツ生成手段は、濃度信号の値を入力としてコンテンツを生成するためのコンピュータプログラムを実行するためのコンテンツ生成プログラム実行手段を含む。
【００２３】
さらに好ましくは、コンテンツ生成装置は、コンピュータプログラムを外部から通信により受信するための受信手段と、受信手段により受信されたコンピュータプログラムを記憶するためのプログラム記憶手段とをさらに含む。
【００２４】
受信手段は、コンピュータプログラムを外部から通信により受信し、プログラム記憶手段は、受信手段により受信されたコンピュータプログラムを記憶する。コンテンツを生成するためのコンピュータプログラムを外部から受信するようにしておけば、利用者が、コンテンツ生成装置にある既存のコンテンツに飽きてしまった場合に、利用者は、外部から受信したコンテンツを新規に利用することができる。したがって、利用者は、濃度信号に応じてシナリオが変化するコンテンツを、長期間の間、利用することができ、自分の身体の状態をある程度推測して、健康状態を管理することができる。
【００２５】
さらに好ましくは、コンテンツ生成手段は、濃度信号の値に基づき、コンテンツを生成するためのパラメータであるコンテンツ生成データを要求するデータ要求信号を生成して所定のサーバ装置に送信するための要求送信手段と、サーバ装置からデータ要求信号に応答して送信されるコンテンツ生成データを受信するためのデータ受信手段と、データ受信手段によって受信されたコンテンツ生成データをパラメータとしてコンテンツを生成するための手段とを含む。
【００２６】
さらに好ましくは、要求送信手段は、濃度信号の値を含むデータ要求信号をサーバ装置に送信するための手段を含む。データ受信手段は、サーバ装置からデータ要求信号に応答して送信される、利用者の濃度信号の値の、所定の利用者集合におけるランキングを受信するための手段を含む。生成するための手段は、受信するための手段によって受信された利用者のランキングを提示するコンテンツを生成するための手段を含む。
【００２７】
さらに好ましくは、コンテンツ生成装置は、生体試料センサによって出力された濃度信号の値の時系列を記憶するための記憶手段をさらに含む。コンテンツ生成手段は、記憶手段に記憶された濃度信号の値の時系列に基づいて、利用者の体調の時系列を提示するコンテンツを生成するための手段を含む。
【００２８】
さらに好ましくは、生体試料は利用者の呼気である。
【００２９】
本発明の第２の局面に係るサーバ装置は、生体試料から検出される特定化学物質の濃度信号の値を含むデータ要求信号を任意の端末装置から受信するための要求受信手段と、要求受信手段がデータ要求信号を受信したことに応答して、データ要求信号中の濃度信号の値に依存して変化するコンテンツ生成データを生成し、データ要求信号を送信してきた端末装置に送信するためのデータ送信手段とを含む。
【００３０】
本発明の第３の局面に係るコンテンツ生成システムは、コンテンツ生成装置とサーバ装置とを含むものである。コンテンツ生成装置は、利用者の生体試料から特定化学物質の濃度を検出して、濃度信号を出力する生体試料センサと、生体試料センサによって出力された濃度信号の値に応じてシナリオが変化するコンテンツを生成するためのコンテンツ生成手段と、濃度信号の値に基づき、コンテンツを生成するためのパラメータであるコンテンツ生成データを要求するデータ要求信号を、サーバ装置に送信するための要求送信手段と、サーバ装置からデータ要求信号に応答して送信されるコンテンツ生成データを受信するためのデータ受信手段と、データ受信手段によって受信されたコンテンツ生成データをパラメータとしてコンテンツを生成するための手段とを含む。サーバ装置は、データ要求信号を任意のコンテンツ生成装置から受信するための要求受信手段と、要求受信手段がデータ要求信号を受信したことに応答して、データ要求信号中の濃度信号の値に依存して変化するコンテンツ生成データを生成し、データ要求信号を送信してきたコンテンツ生成装置に送信するためのデータ送信手段とを含む。
【００３１】
本発明の第４の局面に係るコンテンツ生成装置は、利用者の生体試料から特定化学物質の濃度を検出して、濃度信号を出力する生体試料センサと、生体試料センサの出力を記憶するための記憶手段と、記憶手段に記憶されている生体試料センサの出力を用いるコンテンツをそれぞれ提示する１又は複数個のサービスを提供するためのサービス提供手段と、利用者の操作に応答して、１又は複数個のサービスを選択するためのメニューを提示し、利用者からのメニューの選択入力を受けるためのメニュー選択手段と、１又は複数個のサービスのうち、メニュー選択手段により選択されたメニューに対応するサービスを提供するサービス提供手段を起動するための起動手段とを含む。
【００３２】
好ましくは、コンテンツ生成装置は、ネットワークへの接続を提供するネットワークインターフェイスをさらに含む。サービス提供手段は、ネットワークインターフェイスを使用して他の装置と通信することにより、他の装置が記憶手段に記憶されている生体試料センサの出力を用いて提供するサービスを利用者に提供するためのオンラインサービス提供手段を含む。
【００３３】
より好ましくは、他の装置が提供するサービスは、記憶手段に記憶されている生体試料センサの出力を用いた健康情報の提供サービスである。
【００３４】
さらに好ましくは、他の装置が提供するサービスは、記憶手段に記憶されている生体試料センサの出力を用いた、医療機関の紹介サービスである。
【００３５】
さらに好ましくは、コンテンツ生成装置はインターネットに接続されたインターネットテレビジョン装置である。他の装置はテレビジョンの番組情報サーバであり、オンラインサービス提供手段は、記憶手段に記憶されている生体試料センサの出力に基づいて利用者の健康状態を判定し、当該健康状態に関連あるテレビジョン番組を番組情報サーバから取得して利用者に提示する番組提示手段を含む。
【００３６】
さらに好ましくは、他の装置が提供するサービスは、記憶手段に記憶されている生体試料センサの出力を用いた、他の利用者との対比情報である。
【００３７】
さらに好ましくは、他の装置が提供するサービスは、記憶手段に記憶されている生体試料センサの出力によって、登場するキャラクタの状態が変化するロール・プレイング・ゲームである。
【００３８】
さらに好ましくは、サービス提供手段は、記憶手段に記憶されている生体試料センサの出力を用いて、コンテンツ生成装置上でオフラインで実行されるサービスを提供するためのオフラインサービス提供手段を含む。
【００３９】
さらに好ましくは、記憶手段は、生体試料センサの出力を、測定日時とともに記憶するための手段を含む。オフラインサービス提供手段は、記憶手段に記憶されている生体試料センサの出力及びその測定日時の時系列変化を提示するための時系列変化提示手段を含む。
【００４０】
さらに好ましくは、時系列変化提示手段は、記憶手段に記憶されている生体試料センサの出力を、その測定日時に対するグラフとして提示するためのグラフ提示手段を含む。
【００４１】
さらに好ましくは、オフラインサービス提供手段は、生体試料センサの出力の値に対応付けた文を予め記憶するための文記憶手段と、記憶手段に記憶された生体試料センサの出力に対応する文を文記憶手段から抽出し、利用者に提示するための手段を含む。
【００４２】
さらに好ましくは、オフラインサービス提供手段は、記憶手段に記憶された、生体試料センサの出力に基づいて、特定のキャラクタの成長状態を定義するパラメータを更新し記憶するためのパラメータ更新手段と、パラメータ更新手段により更新され記憶されたパラメータに基づいて特定のキャラクタの画像を生成し表示するための手段を含む。
【００４３】
さらに好ましくは、記憶手段、サービス提供手段、メニュー選択手段、及び起動手段は実質的にネットワークに接続可能なコンピュータ、及び当該コンピュータ上で実行されるソフトウェアにより実現される。コンテンツ生成装置は、コンピュータと、コンピュータに接続され、コンピュータによって実行されるソフトウェアを記録した記録媒体と、他の装置と無線通信するための通信手段とを収容する第１の筐体と、第１の筐体とは別体で、生体試料センサと、コンピュータへの入力を行なうために利用者が操作する入力装置と、コンピュータの通信手段に生体試料センサの出力及び入力装置の出力を無線により送信するための送信手段とを収容する第２の筐体とをさらに含む。
【発明の効果】
【００４４】
本発明によれば、利用者の生体試料によって、コンテンツのシナリオは変化するので、利用者は、当該コンテンツから自分の身体がどのような状態であるかを推測して把握し、自分の健康状態をある程度管理することができる。
【００４５】
また、本発明の利用の対象となる者は、疾病を患っている者及び医学の専門的な知識を有する者にのみ限定されない。疾病を患っていない者が利用したとしても、コンテンツ生成装置によって生成されるコンテンツを楽しむことによって、日々、自分の身体の状態を推測することができ、自分の健康状態を維持するための活動を行なおうとすることができる。また、疾病を患っていても自覚症状がない者が利用したとしても、利用者の生体試料から検出される濃度により、身体の状態が良好でないことを示唆するシナリオのコンテンツが生成される場合もあるので、当該利用者は、そのシナリオを確認して即座に専門医に相談しに行ったりすることができる。
【００４６】
さらに、コンテンツ生成装置は、利用者の生体試料によってシナリオが変化するコンテンツを生成するので、利用者は、長期間の間、楽しみながら当該コンテンツ生成装置を利用することができる。
【００４７】
その結果、利用者の健康状態を利用者に提示するためのサービスを提供し、利用者に娯楽を与えることによって当該サービスを長期間利用させることが可能なコンテンツ生成装置を提供することができる。
【発明を実施するための最良の形態】
【００４８】
［疾病ポイント］
以下、準備のために、被験者の呼気から検出される化学物質の濃度から算出される、疾病ポイントと称す評価指標について説明する。後に説明するいくつかのサービスでは、これらポイントを、コンテンツ生成の際のパラメータとしている。
【００４９】
利用者の呼気から検出される化学物質には、ＮＯ、ＣＯ、Ｈ２Ｏ２、エタン、ペンタン、水素、アンモニア、アセトン、及びメチルメルカプタン等がある。それらの各化学物質の呼気中の濃度を検出することにより、被験者がどのような疾病を患っているかを推測することができる。
【００５０】
以下、特に、水素濃度により推測される被験者の疾病について説明する。呼気中に含まれる水素濃度は、被験者が胃腸疾患にかかっているか否かを判定するための指標として用いられる。
【００５１】
通常、被験者の年齢が高くなるほど、呼気に含まれる水素濃度は高くなり、また、年齢によらず、呼気に含まれる水素濃度が低いほど、胃腸疾患を患っておらず健康であるという結果が出ている。
【００５２】
そこで、本実施の形態では、年齢が１０代、２０代、３０代、及び４０代である、胃腸疾患を患っていない被験者の呼気中に含まれる水素濃度の平均値は、それぞれおよそ５ｐｐｍ（ｐａｒｔｓ  ｐｅｒ  ｍｉｌｌｉｏｎ）、１０ｐｐｍ、１０ｐｐｍ、及び２０ｐｐｍであるものとする。また、年齢が１０代、２０代、３０代、及び４０代である、胃腸疾患を患っている被験者の呼気中に含まれる水素濃度の平均値は、それぞれおよそ２５ｐｐｍ、２５ｐｐｍ、３０ｐｐｍ、４５ｐｐｍであるものとする。
【００５３】
本発明において、胃腸疾患を患っていない場合又は患っている場合での水素濃度の平均値は、上記した数値には限定されず、実験によって得られた数値を用いても良い。
【００５４】
以下、被験者が胃腸疾患を患っていない、すなわち健康である場合に、呼気から検出される化学物質の濃度の平均値を「健康時平均値」と呼び、被験者が疾患を患っている場合に、呼気から検出される化学物質の濃度の平均値を「不調時平均値」と呼ぶ。
【００５５】
年齢が１０代、２０代、３０代、及び４０代である被験者の呼気中の水素濃度が、それぞれ５ｐｐｍ、１０ｐｐｍ、１０ｐｐｍ、及び２０ｐｐｍに近いか、又は、より小さいほど、被験者は胃腸に関して健康であると言える。また、年齢が１０代、２０代、３０代、及び４０代である被験者の呼気中の水素濃度が、それぞれ２５ｐｐｍ、２５ｐｐｍ、３０ｐｐｍ、４５ｐｐｍに近いか、又は、超えていればいるほど、被験者は胃腸に関して不健康であると言える。
【００５６】
水素以外の、呼気から検出される化学物質についても、上記と同様のことが言える。エタン、ＮＯ、水素、アンモニア、アセトン、及びメチルメルカプタンに関しても、健康時平均値及び不調時平均値が存在する。エタン、ＮＯ、水素、アンモニア、アセトン、及びメチルメルカプタンの濃度が健康時平均値より大きく、かつ離れた値を取るほど、それぞれ酸化ストレス、肺疾患、胃腸疾患、腎臓疾患、代謝異常、及び口腔疾患を患っている可能性が高くなることが知られている。
【００５７】
そこで、呼気から検出される化学物質の濃度が、健康時平均値又は不調時平均値にどれだけ近いかを数値で示すための、「疾病ポイント」と称される評価指標を定義する。
【００５８】
呼気から検出されるある化学物質の健康時平均値及び不調時平均値を、それぞれｘ及びｙとし、被験者の呼気から検出された当該化学物質の濃度をｚとする。ｘ＞ｚである場合、疾病ポイントを０［％］とし、ｘ≦ｚである場合、疾病ポイントを（ｚ−ｘ）／（ｙ−ｘ）×１００［％］として定義する。このように定義すると、被験者の呼気から検出される化学物質の濃度が健康時平均に近いほど、疾病ポイントは０［％］に近くなり、また、濃度が不調時平均値に近いほど、疾病ポイントは１００［％］に近くなる。したがって、被験者が健康であればあるほど、疾病ポイントは０に近くなり、不健康であればあるほど、疾病ポイントは大きな値を取ることになる。
【００５９】
［優良ポイント］
以下、本発明において、各疾患に関して、利用者がどれだけ健康であるかを数値で示すための、優良ポイントと称す評価指標を定義する。
【００６０】
各ガスに対して、疾病ポイントが１００より大きい場合、優良ポイントを０とし、疾病ポイントが０以上であり、かつ１００以下である場合、優良ポイントを、（１００−疾病ポイント）として優良ポイントを定義する。
【００６１】
このように優良ポイントを定義すると、ある疾病の優良ポイントが０に近ければ、利用者は疾病を患っている可能性が高くなり、１００に近ければ、当該疾病に関して利用者は健康であることになる。
【００６２】
以下、本発明の実施の形態について、添付図面に基づき詳細に説明する。なお、以下の実施の形態の説明では、同一の部品には同一の参照番号を付してある。それらの機能及び名称も同一である。したがって、それらについての詳細な説明は繰返さない。
【００６３】
［ネットワーク環境］
図１は、本発明の実施の形態に係るコンテンツ生成システム１００の構成を簡略化して示す図である。図１を参照して、本実施の形態に係るコンテンツ生成システム１００は、利用者の呼気から検出される特定ガス成分の濃度をパラメータとし、そのパラメータの値に応じてシナリオが変化するコンテンツを提供するためのコンテンツ生成装置１０６Ａ、１０６Ｂ、及び１０６Ｃ等と、インターネット１０４を介してコンテンツ生成装置１０６Ａ、１０６Ｂ、及び１０６Ｃ等と接続され、コンテンツ生成装置１０６Ａ等から送信された呼気から検出される情報を管理し、利用者の要求に応じて、当該要求及び利用者の呼気から検出される情報に応じて、コンテンツ生成のためのパラメータであるコンテンツ生成用データを送信するためのサーバ装置１０２とを含む。
【００６４】
本発明において、「コンテンツ」とは、ネットワーク及び情報機器等によって提供される、動画、音声、及びテキスト等の情報サービスの内容を指す。なお、情報サービスは、動画、音声、及びテキストに限定されず、ネットワーク及び情報機器等によって利用者に提供される情報サービスであれば、何でも良い。
【００６５】
以後、コンテンツ生成装置１０６Ａ、１０６Ｂ、及び１０６Ｃ等を代表して単にコンテンツ生成装置１０６と呼ぶことがある
【００６６】
［コンテンツ生成装置１０６の外観構成］
図２は、コンテンツ生成装置１０６の外観構成を示す平面図である。なお、ここでは、コンテンツ生成装置１０６Ａ、１０６Ｂ及び１０６Ｃの構成は全てコンテンツ生成装置１０６と同じであるものとする。図２を参照して、コンテンツ生成装置１０６は、インターネット１０４に接続されているテレビジョンであって、利用者の呼気から検出される情報に応じたコンテンツを利用者に提供するための表示装置１３０と、表示装置１３０を利用者に操作させるための、表示装置１３０の筐体とは別体のリモートコントローラであって、利用者の呼気を入力し、入力した呼気から複数の特定化学物質の濃度を検出して、表示装置１３０に送信するための操作装置１３４とを含む。
【００６７】
表示装置１３０は、表示部１３２を含む。
【００６８】
＜操作装置１３４の機能的構成＞
図３は、操作装置１３４の機能的構成を示すブロック図である。図３を参照して、操作装置１３４は、被験者の呼気１５０から、複数のガスの濃度を同時に検出する呼気センサ１５２と、テンキー等のように、利用者が表示装置１３０を操作する際に使用する入力装置１５８と、入力装置１５８に入力された利用者からの指示、及び呼気センサ１５２によって検出された各ガスの濃度を表示装置１３０に送信する通信装置１５６とを含む。
【００６９】
利用者の呼気から検出される複数のガスは、ＮＯ、ＣＯ、Ｈ２Ｏ２、エタン、ペンタン、水素、アンモニア、アセトン、及びメチルメルカプタンであり、呼気センサ１５２は、それらの化学物質の濃度をｐｐｂ（ｐａｒｔｓ  ｐｅｒ  ｂｉｌｌｉｏｎ）レベルで同時に検出することが可能である。
【００７０】
＜表示装置１３０の機能的構成＞
図４は、表示装置１３０の機能的構成を示すブロック図である。図４を参照して、表示装置１３０は、表示装置１３０の制御中枢を司る、実質的にコンピュータからなる制御部１８２と、何れも制御部１８２に接続された、操作装置１３４に接続され、操作装置１３４とデータの通信を行なうための第１の通信装置１７０、インターネット１０４を介してサーバ装置１０２に接続可能であり、サーバ装置１０２とデータの送受信を行なうための第２の通信装置１７８、及び種々の情報を記憶するための記憶部１８０とを含む。
【００７１】
制御部１８２は、第１の通信装置１７０を介して、利用者の呼気のガス成分を検出するように操作装置１３４を制御し、検出されたガス成分を測定日時とともに記憶部１８０に記憶させるための呼気測定部１７６と、第１の通信装置１７０を介して操作装置１３４からの指示に応答して、記憶部１８０に記憶されている、呼気測定部１７６の出力である利用者のガス成分の値に基づいて、表示部１３２に画像を表示して、利用者にコンテンツを提供するためのオフラインアプリ実行部１７４と、第１の通信装置１７０を介して操作装置１３４からの指示に応答して、記憶部１８０に記憶されているデータ、及び第２の通信装置１７８を介してサーバ装置１０２からのデータに基づいて、利用者にコンテンツを提供するためのオンラインアプリ実行部１７２とを含む。
【００７２】
オフラインアプリ実行部１７４が提供するコンテンツは、あるガス成分の濃度の一定期間の履歴を示すためのコンテンツである履歴表示コンテンツと、利用者の呼気から検出されるガス成分に基づいて（これら成分の濃度の値をパラメータとして）、運勢、占い、及び今日の格言等の文章を生成し表示するためのコンテンツである成分占いコンテンツと、ＲＰＧ（Ｒｏｌｅ  Ｐｌａｙｉｎｇ  Ｇａｍｅ：ロール・プレイング・ゲーム）のためのコンテンツであって、利用者の呼気から検出されるガス成分の値をパラメータとし、その値に応じて、ＲＰＧのキャラクタが特異的にレベルアップしたり、成長したりするコンテンツであるＲＰＧコンテンツとからなる。
【００７３】
オンラインアプリ実行部１７２が提供するコンテンツは、呼気中の特定ガス成分の濃度をパラメータとして判定される健康状態を、インターネット上の不特定多数の利用者の中で順位付けし、その順位を利用者に示すためのコンテンツである呼気ランキングコンテンツと、呼気から利用者の健康状態を判定し、判定された健康状態に応じた、テレビ番組の情報を提供するコンテンツである健康情報番組提供コンテンツと、呼気から利用者の健康状態を判定し、判定された健康状態に応じた、学術論文を電子データで送信するためのコンテンツである最新情報提供コンテンツと、呼気から利用者の健康状態を判定し、判定された健康状態とインターネット１０４上の他の利用者の健康状態とを比較して、勝敗を競い合わせるためのコンテンツであるオンライン呼気バトルコンテンツとからなる。
【００７４】
本発明において、オフラインアプリ実行部１７４及びオンラインアプリ実行部１７２によって提供されるコンテンツを、それぞれオフラインコンテンツ及びオンラインコンテンツと呼ぶ。
【００７５】
図５は、記憶部１８０及びオフラインアプリ実行部１７４の構成を示す図である。図５を参照して、記憶部１８０は、利用者の呼気から検出されるガス成分を記憶するための呼気情報ＤＢ２１２と、ガス及び年齢の範囲毎に、各ガスの濃度の健康時平均値及び不調時平均値を記憶するための呼気基準値ＤＢ２１４と、成分占いコンテンツにおいて表示される、運勢、占い、及び今日の格言等の文章を記憶するための文書ＤＢ２０６と、ＲＰＧコンテンツにおいて、キャラクタに関する情報等を記憶するためのキャラクタ情報ＤＢ２０８と、ＲＰＧコンテンツにおいて利用され、キャラクタの成長の条件を記憶するためのキャラクタ成長条件ＤＢ２１０とを含む。
【００７６】
オフラインアプリ実行部１７４は、第１の通信装置１７０を介して操作装置１３４からの指示により、呼気情報ＤＢ２１２、呼気基準値ＤＢ２１４、及び文書ＤＢ２０６を参照して、文書ＤＢ２０６に記憶されている文章を表示部１３２に表示して、成分占いコンテンツを利用者に提供する処理を実行するための成分占い実行部２００と、第１の通信装置１７０を介して操作装置１３４からの指示により、呼気情報ＤＢ２１２、呼気基準値ＤＢ２１４、キャラクタ情報ＤＢ２０８、及びキャラクタ成長条件ＤＢ２１０を参照して、ＲＰＧコンテンツを提供する処理を実行するためのキャラクタ生成部２０２と、第１の通信装置１５２を介して操作装置１３４からの指示により、呼気情報ＤＢ２１２、及び呼気基準値ＤＢ２１４を参照して、履歴表示コンテンツを利用者に提供する処理を実行するための履歴表示部２０４とを含む。
【００７７】
［サーバ装置１０２の機能的構成］
図６は、サーバ装置１０２の機能的構成を示すブロック図である。図６を参照して、サーバ装置１０２は、サーバ装置１０２の制御中枢を司る、実質的にコンピュータからなる制御部２４０と、制御部２４０に接続され、インターネット１０４を介してコンテンツ生成装置１０６に接続可能であり、データの送受信を行なうための通信装置２４４、及び制御部２４０に接続され、種々の情報を記憶するための記憶部２４２とを含む。
【００７８】
記憶部２４２は、図５に示す呼気情報ＤＢ２１２と同様の構成である呼気情報ＤＢ２４６と、図５に示す呼気基準値ＤＢ２１４と同様の構成である呼気基準値ＤＢ２４８と、健康情報番組提供コンテンツにおいて利用されるテレビ番組の情報を記憶するための番組データＤＢ２５０と、最新情報提供コンテンツにおいて利用される学術論文の電子データを記憶するための最新情報ＤＢ２５２とを含む。
【００７９】
［ＤＢ構成］
図７は、図５に示す呼気情報ＤＢ２１２の構成を示す図である。図７を参照して、呼気情報ＤＢ２１２の各レコードは、コンテンツ生成装置１０６の各利用者のＩＤを記憶するためのユーザＩＤフィールドと、レコードが登録された日付を記憶するための登録日付フィールドと、レコードが登録された時刻を記憶するための登録時刻フィールドと、登録日付及び登録時刻に利用者の呼気から検出されたＮＯ、ＣＯ、Ｈ２Ｏ２、エタン、ペンタン、水素、アンモニア、アセトン、及びメチルメルカプタンの濃度を、それぞれ記憶するためのＮＯ濃度フィールド、ＣＯ濃度フィールド、Ｈ２Ｏ２濃度フィールド、エタン濃度フィールド、ペンタン濃度フィールド、水素濃度フィールド、アンモニア濃度フィールド、アセトン濃度フィールドと、及びメチルメルカプタン濃度フィールドとからなる。
【００８０】
図８は、図５に示す文書ＤＢ２０６の構成を示す図である。図８を参照して、文書ＤＢ２０６の各レコードは、利用者の呼気から検出されるガスの名前を記憶するためのガス名フィールドと、ガス名フィールドに記憶されているガス毎に、疾病ポイントの範囲を記憶するための疾病ポイントフィールドと、ガス及び疾病ポイントの範囲の組合せで内容が変化し、成分占いコンテンツで利用者に示す運勢、占い、及び今日の格言等の文章を記憶するための文書データフィールドとからなる。
【００８１】
図９は、図５に示す呼気基準値ＤＢ２１４の構成を示す図である。図９を参照して、呼気基準値ＤＢ２１４の各レコードは、利用者の呼気から検出されるガスの名前を記憶するためのガス名フィールドと、年齢の範囲を記憶するための年齢の範囲フィールドと、ガス及び年齢の範囲の各々によって定められているガス濃度の健康時平均値及び不調時平均値を、それぞれ記憶するための健康時平均フィールド、及び不調時平均フィールドとからなる。
【００８２】
図１０は、図５に示すキャラクタ情報ＤＢ２０８の構成を示す図である。図１０を参照して、キャラクタ情報ＤＢ２０８の各レコードは、コンテンツ生成装置１０６の各利用者のＩＤを記憶するためのユーザＩＤフィールドと、ＲＰＧのキャラクタの画像を記憶するためのキャラクタ画像フィールドと、ＲＰＧのキャラクタの強さの段階を示すための指標であるレベルを数値として記憶するためのレベルフィールドと、利用者の呼気から検出される各化学物質の濃度によって、ＲＰＧのキャラクタがどのような状態であるかをテキストで記憶するための呼気傾向フィールドと、ＲＰＧのキャラクタの職業を記憶するための能力フィールドと、ＲＰＧキャラクタの経験値を記憶するための経験値フィールドと、現在の状態、ＨＰ（Ｈｉｔ  Ｐｏｉｎｔ）、ＭＰ（Ｍａｇｉｃ  Ｐｏｉｎｔ）、物理攻撃力、物理防御力、魔法攻撃力、魔法防御力、素早さ、武器、防具、及び持ち物等のような、通常のＲＰＧで使用されるものと同様の、キャラクタのステータスを記憶するためのステータスフィールドとからなる。
【００８３】
図１１は、図５に示すキャラクタ成長条件ＤＢ２１０の構成を示す図である。図１１を参照して、キャラクタ成長条件ＤＢ２１０の各レコードは、利用者の呼気から検出されるガスの名前を記憶するためのガス名フィールドと、疾病ポイントの範囲を記憶するための疾病ポイントフィールドと、図１０に示すキャラクタ情報ＤＢ２０８の呼気傾向フィールドと同様のデータを記憶するための呼気傾向フィールドと、キャラクタ情報ＤＢ２０８のステータスフィールドのうちの、物理攻撃力及び物理防御力等のいずれかの項目を記憶するためのステータスフィールドと、ガス及び疾病ポイントの範囲によって異なり、各キャラクタがレベルアップするときに、ステータスフィールドに記憶されている項目の数値がどれだけ上昇するかを数値で示す成長ポイントフィールドとからなる。
【００８４】
図１２は、図６に示す呼気情報ＤＢ２４６の構成を示す図である。図１２を参照して、呼気情報ＤＢ２４６の各レコードの構成は、図５に示す呼気情報ＤＢ２１２とほぼ同様である。なお、呼気情報ＤＢ２１２には、１つのコンテンツ生成装置１０６の利用者のためのレコードしか記憶しないが、呼気情報ＤＢ２４６には、インターネット１０４上に存在する任意のコンテンツ生成装置１０６の利用者のレコードが記憶される。
【００８５】
図１３は、図６に示す番組データＤＢ２５０の構成を示す図である。図１３を参照して、番組データＤＢ２５０の各レコードは、利用者の呼気から検出されるガスの名前を記憶するためのガス名フィールドと、ガス名フィールドに記憶されている各ガスの疾病ポイントが大きい利用者に対して、各ガスの濃度が大きいことによって生じる疾病にちなんだ健康情報番組のテレビ局、放送時間帯、番組名等の番組データを記憶するための番組データフィールドとからなる。
【００８６】
図１４は、図６に示す最新情報ＤＢ２５２の構成を示す図である。図１４を参照して、最新情報ＤＢ２５２の各レコードは、利用者の呼気から検出されるガスの名前を記憶するためのガス名フィールドと、ガス名フィールドに記憶されている各ガスの疾病ポイントが大きい利用者に対して、各ガスの濃度が大きいことによって生じる疾病にちなんだ学術論文の電子データを記憶するための最新情報データフィールドとからなる。
【００８７】
なお、番組データＤＢ２５０の番組データフィールド及び最新情報ＤＢ２５２の最新情報データフィールドに記憶されるデータは、サーバ装置１０２の管理者によって、毎日最新の情報に更新されているものとする。
【００８８】
［画面の構成］
以下、コンテンツ生成装置１０６が利用者に提供する各コンテンツにおいて、表示部１３２に表示される画面の例について説明する。
【００８９】
図１５は、コンテンツ生成装置１０６が提供するコンテンツを利用者が利用し始める際に、コンテンツ生成装置１０６が表示部１３２に表示する画面の例を示す図である。
【００９０】
図１５（Ａ）は、利用者がコンテンツを利用しようとする際に、表示部１３２に最初に表示される画面である。図１５（Ａ）を参照して、コンテンツ生成装置１０６は、トップメニュー画面３００を表示部１３２に表示する。トップメニュー画面３００には、利用者に対してオフラインコンテンツ及びオンラインコンテンツをそれぞれ選択させるためのオフラインアプリケーションボタン（以下、オフラインボタンと呼ぶ）３０２及びオンラインアプリケーションボタン（以下、オンラインボタンと呼ぶ）３０４と、利用者に呼気を測定させるために操作される呼気測定ボタン３０６と、コンテンツの利用を終了させるために操作される終了ボタン３０８とが配置されている。
【００９１】
図１５（Ｂ）は、トップメニュー画面３００が表示されている間、利用者がオフラインボタン３０２を押下した場合に表示される、オフラインコンテンツのいずれかを利用者に選択させるためのオフライントップメニュー画面３２０を示す図である。図１５（Ｂ）を参照して、オフライントップメニュー画面３２０には、利用者に履歴表示コンテンツ、成分占いコンテンツ、及びＲＰＧコンテンツをそれぞれ選択させるための履歴表示ボタン３２２、成分占いボタン３２４、及びＲＰＧボタン３２６と、トップメニュー画面３００に戻るために利用者によって操作されるトップメニュー回帰ボタン３２８とが配置されている。
【００９２】
図１５（Ｃ）は、オンライントップメニュー画面３２０が表示されているときに、利用者がオンラインボタン３０４を押下した後に表示される、オンラインコンテンツのいずれかを利用者に選択させるためのオンライントップメニュー画面３４０を示す図である。図１５（Ｃ）を参照して、オンライントップメニュー画面３４０には、利用者に呼気ランキングコンテンツ、健康情報番組提供コンテンツ、最新情報提供コンテンツ、及びオンライン呼気バトルコンテンツをそれぞれ選択させるためのエントリボタン３４２、番組提供ボタン３４４、情報提供ボタン３４６、及び呼気バトルボタン３４８と、トップメニュー回帰ボタン３２８とが配置されている。
【００９３】
図１５（Ｄ）は、トップメニュー画面３００が表示されているときに、利用者が呼気測定ボタン３０６を押下した後に表示される、利用者に呼気の入力を催促するための呼気測定画面３６０を示す図である。図１５（Ｄ）を参照して、呼気測定画面３６０には、利用者に呼気の入力を催促するための画像と、トップメニュー回帰ボタン３２８とが配置されている。
【００９４】
図１６は、履歴表示コンテンツの画面を示す図である。図１６（Ａ）は、オフライントップメニュー画面３２０が表示されているときに、利用者が履歴表示ボタン３２２を押下した後に表示されるガス選択画面４１０を示す図である。図１６（Ａ）を参照して、ガス選択画面４１０には、履歴を表示するためのガスを利用者に選択するためのチェックボックスが表示された領域３７６と、日時の範囲を利用者に入力させるためのテキストボックスが表示された領域３７８と、確定ボタン３７２と、オフライントップメニュー画面３２０に戻るために利用者によって操作されるオフライントップメニュー回帰ボタン３７４とが配置されている。
【００９５】
図１６（Ｂ）は、利用者が確定ボタン３７２を押下した後に表示される履歴表示画面３８０を示す図である。図１６（Ｂ）を参照して、履歴表示画面３８０には、領域３７８に入力された日時の範囲で、図１６（Ａ）に示す領域３７６において選択されたガスの濃度の履歴を時系列で表示するための画像と、ガス選択画面４１０に戻るための戻るボタン３８２とが配置されている。
【００９６】
図１７は、オフライントップメニュー画面３２０が表示されているときに、利用者が成分占いボタン３２４を押下した後に表示される、成分占いコンテンツの画面を示す図である。図１７（Ａ）は、オフライントップメニュー画面３２０が表示されているときに、利用者が成分占いボタン３２４を押下した後に表示される、利用者に呼気の入力を催促するための呼気測定画面３９０を示す図である。図１７（Ａ）を参照して、呼気測定画面３９０には、利用者に呼気の入力を催促するための画像と、オフライントップメニュー回帰ボタン３７４とが配置されている。
【００９７】
図１７（Ｂ）は、呼気測定画面３９０において、利用者が呼気を呼気センサ１５２に吹きかけた後に表示される占い結果画面３９２を示す図である。図１７（Ｂ）を参照して、占い結果画面３９２には、占いの結果を示す文章と、オフライントップメニュー回帰ボタン３７４とが配置されている。
【００９８】
図１８は、オフライントップメニュー画面３２０が表示されているときに、利用者がＲＰＧボタン３２６を押下した後に表示される、ＲＰＧコンテンツの画面を示す図である。図１８（Ａ）は、オフライントップメニュー画面３２０が表示されているときに、利用者がＲＰＧボタン３２４を押下した後に表示される、呼気測定画面３９０を示す図である。
【００９９】
図１８（Ｂ）は、呼気測定画面３９０において、利用者が呼気を呼気センサ１５２に吹きかけた後に表示される、ＲＰＧのキャラクタのステータスを表示するステータス表示画面４０２を示す図である。図１８（Ｂ）を参照して、ステータス表示画面４０２には、ユーザＩＤ、キャラクタの画像、及びキャラクタのステータスと、呼気の測定の結果によって、キャラクタがどのように成長するかを示す文章を表示する領域４０４と、オフライントップメニュー回帰ボタン３７４とが配置されている。
【０１００】
図１９は、呼気ランキングコンテンツのための画面を示す図である。図１９（Ａ）は、オンライントップメニュー画面３４０が表示されているときに、利用者がエントリボタン３４２を押下した後に表示される、利用者にガスを選択させるためのガス選択画面４１０を示す図である。図１９（Ａ）を参照して、ガス選択画面４１０には、利用者のユーザＩＤ及び生年月日を入力させるためのテキストボックスと、呼気から測定されるガスのいずれか１つを利用者に選択させるためのラジオボタンと、呼気の入力を開始するために利用者によって操作される測定開始ボタン４１２と、オンライントップメニュー画面３４０に戻るために利用者によって操作されるオンライントップメニュー回帰ボタン４１４とが配置されている。
【０１０１】
図１９（Ｂ）は、ガス選択画面４１０において、測定開始ボタン４１２を押下した後に表示される、図１５（Ｄ）に示す呼気測定画面３６０と同様にして、利用者に呼気の入力を催促するための呼気測定画面４１６を示す図である。
【０１０２】
図１９（Ｃ）は、呼気測定画面４１６において、利用者が呼気の入力を終了した後に表示される、結果画面４１８を示す図である。図１９（Ｃ）を参照して、結果画面４１８には、ガス選択画面４１０のラジオボタンで選択されたガスの健康時平均値、不調時平均値、及び呼気測定時の濃度を棒グラフで示した図と、利用者の順位と、オンライントップメニュー回帰ボタン４１４とが配置されている。利用者の年代が２０代であるとする。棒グラフ群の左から２番目には、利用者の健康時平均値、不調時平均値、及び呼気測定時の濃度が示されている。利用者が属さない他の年代の利用者と比較するため、棒グラフ群の左から１番目、３番目、及び４番目には、それぞれ利用者が属さない年代である１０代、３０代、及び４０代の他の利用者の健康時平均値と、不調時平均値と、呼気情報ＤＢ２４６に記憶されているデータから算出された平均値とが棒グラフで示されている。
【０１０３】
図２０は、オンライントップメニュー画面３４０が表示されているときに、利用者が番組提供ボタン３４４を押下した後に表示される、健康情報番組コンテンツのための画面を示す図である。図２０（Ａ）は、オンライントップメニュー画面３４０において、番組提供ボタン３４４が押下された後に表示される呼気測定画面４１６である。
【０１０４】
図２０（Ｂ）は呼気測定画面４１６において、利用者が呼気の入力を終了した後に表示される、結果画面４１８を示す図である。図２０（Ｂ）を参照して、画面には、疾病ポイントが最も高いガスに関する健康情報番組の番組データと、オンライントップメニュー回帰ボタン４１４とが表示される。
【０１０５】
図２１は、オンライントップメニュー画面３４０が表示されているときに、利用者が情報提供ボタン３４６を押下した後に表示される、最新情報提供コンテンツのための画面を示す図である。図２１（Ａ）は、オンライントップメニュー画面３４０において、情報提供ボタン３４６が押下された後に表示される呼気測定画面４１６である。
【０１０６】
図２１（Ｂ）は呼気測定画面４１６において、利用者が呼気の入力を終了した後に表示される画面を示す図である。図２１（Ｂ）を参照して、画面には、疾病ポイントが最も高いガスに関する学術論文のファイル名と、オンライントップメニュー回帰ボタン４１４とが表示される。利用者は、画面に表示されたファイル名を選択することによって、選択したファイル名の学術論文の電子データをダウンロードすることができる。
【０１０７】
図２２は、オンライン呼気バトルコンテンツのための画面を示す図である。図２２（Ａ）は、オンライントップメニュー画面３４０が表示されているときに、呼気バトルボタン３４８を押下した後に表示される、呼気バトルエントリ画面４４０を示す図である。図２２（Ａ）を参照して、呼気バトルエントリ画面４４０には、利用者のユーザＩＤ及び生年月日を入力するためのテキストボックスと、利用者が呼気バトルにエントリする際に操作されるエントリボタン４４２と、オンライントップメニュー回帰ボタン４１４とが配置されている。
【０１０８】
図２２（Ｂ）は、呼気バトルエントリ画面４４０において、エントリボタン４４２が押下された後に表示される、呼気測定画面４１６を示す図である。
【０１０９】
図２２（Ｃ）は、呼気測定画面４１６において、利用者が呼気の入力を終了した後に表示され、サーバ装置１０２が対戦相手となる他の利用者を検索していることを示す検索画面４４４を示す図である。
【０１１０】
検索画面４４４において、サーバ装置１０２が対戦相手の検索に失敗した場合、呼気バトルエントリ画面４４０に戻る。
【０１１１】
図２２（Ｄ）は、図２２（Ｃ）に示す検索画面４４４において、サーバ装置１０２が対戦相手となる他の利用者の検索に成功した場合に表示される、呼気バトル結果画面４４６を示す図である。図２２（Ｄ）を参照して、呼気バトル結果画面４４６には、呼気バトルの結果と、オンライントップメニュー回帰ボタン４１４とが配置される。呼気バトルの結果では、利用者の各々に対して、胃腸疾患、酸化ストレス、及び腎臓疾患等の優良ポイントと、全疾患の優良ポイントの算術平均とが棒グラフで表示され、どちらの利用者が勝利又は敗北したかを、「ＷＩＮ」及び「ＬＯＳＥ」の文字列で画面上に表示する。
【０１１２】
［パケットの構成］
図２３〜２６は、サーバ装置１０２に対してコンテンツ生成装置１０６から送信されるパケットと、そのパケットに応じてサーバ装置１０２がコンテンツ生成装置１０６に返信するパケットとの各構成を示す図である。
【０１１３】
コンテンツ生成装置１０６から送信されるパケットには、利用者が各コンテンツを享受するために、呼気ランキングコンテンツ、健康情報番組提供コンテンツ、最新情報提供コンテンツ、及び呼気バトルコンテンツに利用されるデータの取得を、それぞれサーバ装置１０２に要求するための「呼気ランキング要求パケット」、「番組提供要求パケット」、「情報提供要求パケット」、及び「呼気バトル要求パケット」がある。
【０１１４】
図２３（Ａ）は、呼気ランキング要求パケット４６０の構成を示す図である。図２３（Ａ）を参照して、呼気ランキング要求パケット４６０は、図１９（Ａ）に示すガス選択画面４１０において、利用者が入力したユーザＩＤ、生年月日、ガス選択画面４１０において利用者によって選択されたガス名、及び図１９（Ｂ）に示す呼気測定画面４１６において利用者によって入力された呼気から検出されたガスの濃度とからなる。図２３（Ｂ）は、呼気ランキング要求パケット４６０に対する返信のためのパケット４６２の構成を示す図である。図２３（Ｂ）を参照して、パケット４６２は、サーバ装置１０２が受けた呼気ランキング要求パケットのユーザＩＤと、呼気ランキング要求パケットの生年月日及び現在の日付から算出した当該ユーザＩＤの年齢と、当該ユーザＩＤによって選択されたガス及びその濃度と、当該ユーザＩＤの年齢のための健康時平均値及び不調時平均値と、当該ユーザＩＤが属さない年代のための他の年代（Ｎｏ．１）〜他の年代ＩＤ（Ｎｏ．３）、呼気情報ＤＢ２４６に記憶されているデータから算出された、データによる平均値（Ｎｏ．１）〜（Ｎｏ．３）、健康時平均値（Ｎｏ．１）〜（Ｎｏ．３）、及び不調時平均値（Ｎｏ．１）〜（Ｎｏ．３）とからなる。
【０１１５】
図２４（Ａ）は、番組提供要求パケット４７０の構成を示す図である。図２４（Ａ）を参照して、番組提供要求パケット４７０は、図２０（Ａ）に示す呼気測定画面４１６において、利用者の呼気から検出されるガスの中で、疾病ポイントが最も高いガス名からなる。図２４（Ｂ）は、番組提供要求パケット４７０に対する返信のためのパケット４７２の構成を示す図である。図２４（Ｂ）を参照して、パケット４７２は、番組データＤＢ２５０のレコードの中で、ガス名フィールドの値が番組提供要求パケット４７０のガス名に一致するレコードの番組データフィールドに記憶されている全ての番組データからなる。
【０１１６】
図２５（Ａ）は、情報提供要求パケット４８０の構成を示す図である。図２５（Ａ）を参照して、情報提供要求パケット４８０は、図２１（Ａ）に示す呼気測定画面４１６において、利用者の呼気から検出されるガスの中で、疾病ポイントが最も高いガス名からなる。図２５（Ｂ）は、情報提供要求パケット４８０に対する返信のためのパケット４８２の構成を示す図である。図２５（Ｂ）を参照して、パケット４８２は、最新情報ＤＢ２５２のレコードの中で、ガス名フィールドの値が情報提供要求パケット４８０のガス名に一致するレコードの最新情報データフィールドに記憶されている全ての最新情報データからなる。
【０１１７】
図２６（Ａ）は、呼気バトル要求パケット４９０の構成を示す図である。図２６（Ａ）を参照して、呼気バトル要求パケット４９０は、ユーザＩＤと、図２２（Ａ）に示す呼気バトルエントリ画面４４０において、利用者によって入力されたユーザＩＤ及び生年月日と、図２２（Ｂ）において利用者によって入力された呼気から検出されるガスの濃度とからなる。図２６（Ｂ）は、呼気バトル要求パケット４９０に対する返信のためのパケット４９２の構成を示す図である。図２６（Ｂ）を参照して、パケット４９２は、呼気バトル要求パケット４９０のユーザＩＤと、当該ユーザＩＤが勝利したか否かを示すために、「勝利」及び「敗北」のいずれかが格納される勝敗結果と、酸化ストレス、肺疾患、胃腸疾患、腎臓疾患、代謝異常、及び口腔疾患の各々をどれだけ患っているかを示す、上述した優良ポイントと、全ての優良ポイントの平均値である総合優良ポイントとからなる。パケット４９２はさらに、対戦相手となる他のユーザＩＤと、他のユーザＩＤの勝敗結果と、他のユーザＩＤのための各疾患の優良ポイント（対戦相手）と、総合優良ポイント（対戦相手）とからなる。
【０１１８】
［ソフトウェア構成］
（コンテンツ生成装置１０６のソフトウェア構成）
図２７〜３０は、コンテンツ生成装置１０６で実行されるプログラムの制御構造を示すフローチャートである。このプログラムを実質的にコンピュータである制御部１８２が実行することにより、コンテンツ生成装置１０６の機能が実現される。
【０１１９】
図２７は、操作装置１３４を介して、利用者がユーザＩＤ及び生年月日を入力して、コンテンツの利用開始をコンテンツ生成装置１０６に指示したときに制御部１８２が実行するプログラムの制御構造を示すフローチャートである。図２７を参照して、このプログラムは、表示部１３２にトップメニュー画面３００を表示するステップ５００と、ステップ５００の後、操作装置１３４を介して、利用者がトップメニュー画面３００上に配置されているいずれかのボタンを押下するまで待機するステップ５０２とを含む。このプログラムはさらに、ステップ５０２において終了ボタン３０８が押下された場合に、表示部１３２からトップメニュー画面３００を消去し、このプログラムを終了するステップ５０４と、ステップ５０２においてオフラインボタン３０２が押下された場合に、オフラインコンテンツを提供する処理を実行し、制御をステップ５００に戻すステップ５０６と、ステップ５０２においてオンラインボタン３０４が押下された場合に、オンラインコンテンツを提供する処理を実行し、制御をステップ５００に戻すステップ５０８と、ステップ５０２において呼気測定ボタン３０６が押下された場合に、利用者の呼気を入力して、入力させた呼気から検出される各ガスの濃度を呼気情報ＤＢ２１２に記憶させ、制御をステップ５００に戻すステップ５１０とを含む。
【０１２０】
図２８は、図２７のステップ５０６の詳細なフローを示す図である。図２８を参照して、このルーチンは、表示部１３２にオフライントップメニュー画面３２０を表示するステップ５５０と、ステップ５５０の後、操作装置１３４を介して、利用者がオフライントップメニュー画面３２０上に配置されているいずれかのボタンを押下するまで待機するステップ５５２と、ステップ５５２においてトップメニュー回帰ボタン３２８が押下された場合に、表示部１３２からオフライントップメニュー画面３２０を消去して、このルーチンを終了するステップ５５４とを含む。ステップ５５２において履歴表示ボタン３２２が押下された場合に、後述する履歴表示処理を実行し、制御をステップ５５２に戻すステップ５５６と、ステップ５５２において成分占いボタン３２４が押下された場合に、後述する成分占い処理を実行し、制御をステップ５５２に戻すステップ５５８と、ステップ５５２においてＲＰＧボタン３２６が押下された場合に、後述するＲＰＧキャラクタ成長処理を実行し、制御をステップ５５２に戻すステップ５６０とを含む。
【０１２１】
なお、制御部１８２が上記した履歴表示処理、成分占い処理、及びＲＰＧ処理を実行することにより、コンテンツ生成装置１０６は利用者にそれぞれ履歴表示コンテンツ、成分占いコンテンツ、及びＲＰＧコンテンツを提供することができる。
【０１２２】
図２９は、図２７のステップ５０８の詳細なフローを示す図である。図２９を参照して、このルーチンは、表示部１３２にオンライントップメニュー画面３４０を表示するステップ５８０と、ステップ５８０の後、操作装置１３４を介して、利用者がオンライントップメニュー画面３４０上に配置されているいずれかのボタンを押下するまで待機するステップ５８２と、ステップ５８２においてトップメニュー回帰ボタン３２８が押下された場合に、表示部１３２からオンライントップメニュー画面３４０を消去して、このルーチンを終了するステップ５８４とを含む。このルーチンはさらに、ステップ５８２においてエントリボタン３４２が押下された場合に、後述するランキング要求処理を実行し、制御をステップ５８２に戻すステップ５８６と、ステップ５８２において番組提供ボタン３４４が押下された場合に、後述する番組提供要求処理を実行し、制御をステップ５８２に戻すステップ５８８と、ステップ５８２において情報提供ボタン３４６が押下された場合に、後述する情報提供要求処理を実行し、制御をステップ５８２に戻すステップ５９０と、ステップ５８２において呼気バトルボタン３４８が押下された場合に、後述する呼気バトル要求処理を実行し、制御をステップ５８２に戻すステップ５９２とを含む。
【０１２３】
なお、制御部１８２が上記したランキング要求処理、番組提供要求処理、情報提供要求処理、及び呼気バトルボタン処理を実行することにより、コンテンツ生成装置１０６は利用者にそれぞれ呼気ランキングコンテンツ、健康情報番組提供コンテンツ、最新情報提供コンテンツ、及び呼気バトルコンテンツを提供することができる。
【０１２４】
図３０は、図２７のステップ５１０の詳細なフローを示す図である。図３０を参照して、このルーチンは、図１５（Ｄ）に示す呼気測定画面３６０を表示部１３２に表示するステップ６００と、ステップ６００の後、利用者が呼気センサ１５２に呼気を吹きかけるまで待機するステップ６０２と、ステップ６０２において、利用者が呼気を吹きかけた場合に、通信装置１５６及び第１の通信装置１７０を介して、呼気から検出された各ガスの濃度値を含むデータを受信し、呼気情報ＤＢ２１２に記憶させ、このルーチンを終了するステップ６０４とを含む。
【０１２５】
なお、上記したステップ６０４では、具体的には、呼気情報記憶部１８０のユーザＩＤフィールド、生年月日フィールド、登録日付及び登録時刻、並びに各ガスの濃度のフィールドの値を、それぞれ本プログラムの起動時に利用者によって入力されたユーザＩＤ、生年月日、現在の日付及び時刻、並びに利用者の呼気から検出された各ガスの濃度としたレコードが、呼気情報記憶部１８０に追加される。
【０１２６】
＜履歴表示処理＞
履歴表示処理では、図１６（Ａ）に示すガス選択画面３７０を表示部１３２に表示し、確定ボタン３７２及びオフライントップメニュー回帰ボタン３７４のいずれかが利用者に押下されるまで待機する。ガス選択画面３７０が表示されている間、オフライントップメニュー回帰ボタン３７４が押下された場合、この処理は終了する。ガス選択画面３７０が表示されている間、確定ボタン３７２が押下された場合、呼気情報ＤＢ２１２を参照して、ユーザＩＤフィールドの値が、このプログラムの起動時に利用者によって入力されたユーザＩＤであり、かつ、登録日付フィールド及び登録時刻フィールドによって定まる日時が、ガス選択画面３７０内の領域３７８で利用者によって入力された日時の範囲に含まれるレコードを抽出する。抽出したレコードから、ガス選択画面３７０の領域３７６において利用者に入力されたガスの濃度の履歴を履歴表示画面３８０に表示する。履歴表示画面３８０において戻るボタン３８２が利用者によって押下されると、この処理は終了する。
【０１２７】
＜成分占い処理＞
成分占い処理では、図１７（Ａ）に示す呼気測定画面３９０を表示部１３２に表示する。利用者が呼気センサ１５２に呼気を吹きかけると、呼気から検出されたガスの濃度を呼気情報ＤＢ２１２に登録し、各ガスについて疾病ポイントを算出する。文書ＤＢ２０６を参照して、ガス名フィールド、及び疾病ポイントフィールドの値が、それぞれ、最も疾病ポイントが大きいガス名、及び当該ガスの疾病ポイントであるレコードを抽出する。抽出されたレコードの文書データを表示した占い結果画面３９２を表示部１３２に表示する。占い結果画面３９２において、オフライントップメニュー回帰ボタン３７４が押下されると、この処理は終了する。
【０１２８】
＜ＲＰＧキャラクタ成長処理＞
ＲＰＧキャラクタ成長処理では、先ず、図示しないＲＰＧコンテンツのためのスタート画面を表示部１３２に表示する。利用者がＲＰＧコンテンツを開始するための操作を行なったあと、図１８（Ａ）に示す呼気測定画面４００が表示部１３２に表示される。利用者が呼気センサ１５２に呼気を吹きかけると、呼気から検出されたガスの濃度が呼気情報ＤＢ２１２に登録され、各ガスについて疾病ポイントが算出される。キャラクタ成長条件ＤＢ２１０を参照して、ガス名フィールド及び疾病ポイントフィールドの値が、それぞれ最も疾病ポイントが大きいガス名、及び当該ガスの疾病ポイントのレコードである成長条件レコードが抽出される。キャラクタ情報ＤＢ２０８を参照して、ユーザＩＤフィールドの値が、プログラム開始時に利用者によって入力されたユーザＩＤと一致するキャラクタ情報レコードを参照し、当該キャラクタ情報レコードの呼気傾向フィールドの値を、成長条件レコードの呼気傾向フィールドの値で更新する。さらに、キャラクタ情報レコードの各データを表示したステータス表示画面４０２を表示する。そして、今後のＲＰＧのシナリオは、この更新後の値に基づいて行なわれる。すなわち、呼気データの値により、このＲＰＧの今後のシナリオが変化することになる。ステータス表示画面４０２において、オフライントップメニュー回帰ボタン３７４が押下されると、このコンテンツは終了する。ボタン３７４が押下されない場合、利用者は、更新されたキャラクタのステータスで、ＲＰＧコンテンツのプレイを開始する。
【０１２９】
＜ランキング要求処理＞
ランキング要求処理では、図１９（Ａ）に示すガス選択画面４１０を表示部１３２に表示する。この処理では、利用者から測定開始ボタン４１２及びオンライントップメニュー回帰ボタン４１４のいずれかが押下されるまで待機する。ガス選択画面４１０において、オンライントップメニュー回帰ボタン４１４が押下された場合、この処理は終了する。ガス選択画面４１０において、利用者によってユーザＩＤ、生年月日、及びガスが入力されて測定開始ボタン４１２が押下されると、呼気測定画面４１６を表示部１３２に表示する。利用者が呼気センサ１５２に呼気を吹きかけると、呼気から検出されたガスの濃度を呼気情報ＤＢ２１２に登録する。入力されたユーザＩＤ、生年月日、ガス、及び当該ガスの濃度を呼気ランキング要求パケット４６０として、サーバ装置１０２に送信する。さらに、サーバ装置１０２から返信のためのパケット４６２を受信するまで待機する。サーバ装置１０２からパケット４６２を受信すると、パケット４６２に基づいて結果画面４１８を表示部１３２に表示する。結果画面４１８において、オンライントップメニュー回帰ボタン４１４が押下されると、この処理は終了する。
【０１３０】
＜番組提供要求処理＞
番組提供要求処理では、図２０（Ａ）に示す呼気測定画面４１６を表示部１３２に表示する。利用者が呼気センサ１５２に呼気を吹きかけると、呼気から検出された各ガスの濃度を呼気情報ＤＢ２１２に登録し、各ガスについて疾病ポイントを算出する。最も疾病ポイントが大きいガスを、番組提供要求パケット４７０としてサーバ装置１０２に送信する。さらに、サーバ装置１０２から返信のためのパケット４７２を受信するまで待機する。サーバ装置１０２からパケット４７２を受信すると、パケット４７２に含まれる番組データを列挙した、図２０（Ｂ）に示す画面を表示部１３２に表示する。当該画面において、オンライントップメニュー回帰ボタン４１４が押下されると、この処理は終了する。
【０１３１】
＜情報提供要求処理＞
情報提供要求処理では、図２１（Ａ）に示す呼気測定画面４１６を表示部１３２に表示する。利用者が呼気センサ１５２に呼気を吹きかけると、呼気から検出された各ガスの濃度を呼気情報ＤＢ２１２に登録し、各ガスについて疾病ポイントを算出する。最も疾病ポイントが大きいガスを、情報提供要求パケット４８０としてサーバ装置１０２に送信する。さらに、サーバ装置１０２から返信のためのパケット４８２を受信するまで待機する。サーバ装置１０２からパケット４８２を受信すると、パケット４８２に含まれる情報データの各ファイルのリンクを列挙した、図２１（Ｂ）に示す画面を表示部１３２に表示する。当該画面において、オンライントップメニュー回帰ボタン４１４が押下されると、この処理は終了する。
【０１３２】
＜呼気バトル要求処理＞
呼気バトル要求処理では、図２２（Ａ）に示す呼気バトルエントリ画面４４０を表示部１３２に表示する。画面４４０が表示されている間、エントリボタン４４２及びオンライントップメニュー回帰ボタン４１４のいずれかが押下されるまで待機する。画面４４０が表示されている間、オンライントップメニュー回帰ボタン４１４が押下されると、この処理は終了する。画面４４０が表示されている間、利用者によってユーザＩＤ及び生年月日が入力され、エントリボタン４４２が押下されると、図２２（Ｂ）に示す呼気測定画面４１６を表示部１３２に表示する。利用者が呼気センサ１５２に呼気を吹きかけると、呼気から検出された各ガスの濃度を呼気情報ＤＢ２１２に登録し、画面４４０において入力されたユーザＩＤ及び生年月日と、呼気から検出された各ガスの濃度とを、呼気バトル要求パケット４９０としてサーバ装置１０２に送信する。さらに、検索画面４４４を表示部１３２に表示し、サーバ装置１０２から返信のためのパケット４９２を受信するまで待機する。サーバ装置１０２からパケット４９２を受信すると、パケット４９２に基づいて、呼気バトル結果画面４４６を表示部１３２に表示する。当該画面において、オンライントップメニュー回帰ボタン４１４が押下されると、この処理は終了する。
【０１３３】
（サーバ装置１０２のソフトウェア構成）
図３１は、サーバ装置１０２で実行されるプログラムの制御構造を示すフローチャートである。このプログラムを実質的にコンピュータである制御部２４０が実行することにより、サーバ装置１０２の機能が実現される。
【０１３４】
図３１を参照して、このプログラムは、コンテンツ生成装置１０６からパケットの送信があるまで待機するステップ６５０と、ステップ６５０において、呼気ランキング要求パケット４６０を受信した場合に、後述するランキング処理により返信のためのパケット４６２を生成して、当該パケットをコンテンツ生成装置１０６に送信し、制御をステップ６５０に戻すステップ６５２と、ステップ６５０において、番組提供要求パケット４７０を受信した場合に、後述する番組提供処理により返信のためのパケット４７２を生成して、当該パケットをコンテンツ生成装置１０６に送信し、制御をステップ６５０に戻すステップ６５４と、ステップ６５０において、情報提供要求パケット４８０を受信した場合に、後述する情報提供処理により返信のためのパケット４８２を生成して、当該パケットをコンテンツ生成装置１０６に送信し、制御をステップ６５０に戻すステップ６５６と、ステップ６５０において、呼気バトル要求パケット４９０を受信した場合に、後述する呼気バトル処理により返信のためのパケット４９２を生成して、当該パケットをコンテンツ生成装置１０６に送信し、制御をステップ６５０に戻すステップ６５８とを含む。
【０１３５】
＜ランキング処理＞
ランキング処理では、呼気基準値ＤＢ２４８を参照して、ランキング要求パケット４６０に含まれる生年月日、ガス、及び濃度から疾病ポイントを算出する。呼気情報ＤＢ２４６を参照して、全ての利用者の各々に対して、最新の日時のレコードを抽出し、抽出したレコードの件数をカウントする。抽出したレコードの各々に対して、年齢を算出し、パケット４６０に含まれるガスの疾病ポイントを算出する。パケット４６０の送信元である利用者の順位を算出して、パケット４６２に、パケット４６０のユーザＩＤ、生年月日、ガス、濃度、当該ユーザＩＤの健康時平均値、不調時平均値、順位、エントリ数を格納させる。抽出したレコードの中から、ユーザＩＤが属さない年代のレコードを抽出して、各年代のガスの濃度の平均値を算出する。年代の各々に対して、当該年代、算出された濃度の平均値、健康時平均値、及び不調時平均値を、パケット４６２にさらに格納させる。パケット４６２をパケット４６０の送信元に返信する。
【０１３６】
＜番組提供処理＞
番組提供処理では、番組データＤＢ２５０を参照して、番組提供要求パケット４７０のガス名に一致するレコードを抽出する。抽出したレコードの番組データフィールドに格納されているデータを、パケット４７２として番組提供要求パケット４７０の送信元であるコンテンツ生成装置１０６に返信する。
【０１３７】
＜情報提供処理＞
情報提供処理では、最新情報ＤＢ２５２を参照して、情報提供要求パケット４８０のガス名に一致するレコードを抽出する。抽出したレコードの最新情報データフィールドに格納されているデータを、パケット４８２として情報提供要求パケット４８０の送信元であるコンテンツ生成装置１０６に返信する。
【０１３８】
＜呼気バトル処理＞
呼気バトル処理では、呼気バトル要求パケット４９０を受信した後、パケット４９０と同じ構成のパケットを他のコンテンツ生成装置から受信するまで待機する。他のコンテンツ生成装置からパケットを受信すると、各パケットに含まれるガスの濃度から優良ポイントを算出する。算出した結果に基づいてパケット４９２を両者のコンテンツ生成装置１０６に返信する。
【０１３９】
［動作］
図１〜３１を参照して、上記した構成を持つ本実施の形態に係るコンテンツ生成システム１００は以下のように動作する。なお、これに先立ち、呼気情報ＤＢ２１２、文書ＤＢ２０６、呼気基準値ＤＢ２１４、キャラクタ情報ＤＢ２０８、キャラクタ成長条件ＤＢ２１０、呼気情報ＤＢ２４６、呼気基準値ＤＢ２４８、番組データＤＢ２５０、及び最新情報ＤＢ２５２には、それぞれ図７〜１２、図９、図１３、及び図１４に示すような情報が予め記憶されているものとする。
【０１４０】
サーバ装置１０２が起動されると、サーバ装置１０２は、コンテンツ生成装置１０６から、パケット４６０、４７０、４８０、及び４９０のいずれかを受信するまで待機する（図３１に示すステップ６５０）。
【０１４１】
コンテンツ生成装置１０６Ａの利用者が、操作装置１３４を介して、ユーザＩＤ及び生年月日を入力して、コンテンツの利用開始をコンテンツ生成装置１０６Ａに指示したものとする。
【０１４２】
コンテンツ生成装置１０６Ａは、表示装置１３０の表示部１３２にトップメニュー画面３００を表示し（図２７に示すステップ５００）、利用者が、操作装置１３４を介してオフラインボタン３０２、オンラインボタン３０４、呼気測定ボタン３０６、及び終了ボタン３０８のいずれかを押下するまで待機する（図２７に示すステップ５０２）。なお、以下の処理は、コンテンツ生成装置１０６Ａを利用する利用者毎に別々に実行されるものとする。
【０１４３】
上記のステップ５０２において、利用者が、終了ボタン３０８を押下すると、コンテンツ生成装置１０６Ａは、表示部１３２からトップメニュー画面３００を消去して、処理を終了する。
【０１４４】
上述したステップ５０２において、利用者が、呼気測定ボタン３０６を押下すると、コンテンツ生成装置１０６Ａは、図１５（Ｄ）に示す呼気測定画面３６０を表示部１３２に表示し（図３０に示すステップ６００）、利用者が呼気センサ１５２に呼気を吹きかけるまで待機する（図３０に示すステップ６０２）。利用者が呼気センサ１５２に呼気を吹きかけると、コンテンツ生成装置１０６Ａは、呼気から検出した各ガスの濃度を現在の日時で呼気情報ＤＢ２１２に記憶して（図３０に示すステップ６０４）、制御をステップ５００に戻す。
【０１４５】
上述したステップ５０２において、利用者が、オフラインボタン３０２を押下すると、コンテンツ生成装置１０６Ａは、オフライントップメニュー画面３２０を表示部１３２に表示する（図２８に示すステップ５５０）。コンテンツ生成装置１０６Ａは、利用者が、操作装置１３４を介して履歴表示ボタン３２２、成分占いボタン３２４、ＲＰＧボタン３２６、トップメニュー回帰ボタン３２８のいずれかを押下するまで待機する（図２８に示すステップ５５２）。
【０１４６】
上記のステップ５５２において、利用者が、履歴表示ボタン３２２を押下すると、コンテンツ生成装置１０６Ａは、上述した履歴表示処理を実行する（図２８に示すステップ５５６）。コンテンツ生成装置１０６Ａは、ガス選択画面３７０を表示して、履歴を表示するガスと、測定された日時の範囲とを利用者に選択させる。利用者が、領域３７６の各ガスのチェックボックスをＯＮにして、生年月日を入力し、確定ボタン３７２を押下したものとする。コンテンツ生成装置１０６Ａは、呼気情報ＤＢ２１２を参照して、領域３７８に入力された条件に一致したレコードを抽出し、領域３７６において選択されたガスの濃度の履歴を示した履歴表示画面３８０を表示部１３２に表示する。
【０１４７】
利用者は、履歴表示画面３８０に示されたガスの濃度の履歴を参照することによって、自らの健康状態を管理し、疾病を予防することができる。仮に、疾病を患っているにもかかわらず自覚症状がなかったとしても、呼気から検出されるガスの濃度には異常値が現れる可能性があるので、ガスの濃度の履歴表示から、専門医に相談するべきか否かを即座に判断することができる。
【０１４８】
履歴表示画面３８０において、利用者が戻るボタン３８２を押下すると、コンテンツ生成装置１０６Ａは、制御をステップ５５２に戻す。
【０１４９】
上述したステップ５５２において、利用者が、成分占いボタン３２４を押下すると、コンテンツ生成装置１０６Ａは、上述した成分占い処理を実行する（図２８に示すステップ５５８）。コンテンツ生成装置１０６Ａは、図１７（Ａ）に示す呼気測定画面３９０を表示部１３２に表示して、利用者は、呼気センサ１５２に呼気を吹きかける。コンテンツ生成装置１０６Ａは、呼気から検出した各ガスの濃度を現在の日時で呼気情報ＤＢ２１２に記憶し、各ガスの疾病ポイントを算出する。コンテンツ生成装置１０６Ａは、文書ＤＢ２０６を参照して、最も疾病ポイントが高いガスの文書データを抽出し、抽出した文書データを示した結果画面３９２を表示部１３２に表示する。
【０１５０】
利用者は、結果画面３９２に示された文書を読むことによって、今後どのように行動するべきかを考え判断することができる。
【０１５１】
結果画面３９２において、利用者が戻るボタン３８２を押下すると、コンテンツ生成装置１０６Ａは、制御をステップ５５２に戻す。
【０１５２】
上述したステップ５５２において、利用者が、ＲＰＧボタン３２６を押下すると、コンテンツ生成装置１０６Ａは、上述したＲＰＧ処理を実行する（図２８に示すステップ５６０）。コンテンツ生成装置１０６Ａは、図１８（Ａ）に示す呼気測定画面３９０を表示部１３２に表示して、利用者は、呼気センサ１５２に呼気を吹きかける。コンテンツ生成装置１０６Ａは、呼気から検出した各ガスの濃度を現在の日時で呼気情報ＤＢ２１２に記憶し、各ガスの疾病ポイントを算出する。コンテンツ生成装置１０６Ａは、キャラクタ成長条件ＤＢ２１０を参照して、最も疾病ポイントが高いガスのレコードを抽出し、抽出したレコードに応じて、キャラクタ情報ＤＢ２０８を更新する。コンテンツ生成装置１０６Ａは、キャラクタ情報ＤＢ２０８を参照して、ステータス表示画面４０２を表示部１３２に表示する。
【０１５３】
利用者は、ステータス表示画面４０２を参照することにより、自分のキャラクタがどれだけ成長したかということを確認することで当該コンテンツを享受することができる。また、領域４０４を読むことによって、今後キャラクタがどのように成長するかを確認することによっても、当該コンテンツを享受することができ、また、同時に自分の健康状態を管理して、疾病を予防することができる。
【０１５４】
ステータス表示画面４０２において、利用者が戻るボタン３８２を押下すると、コンテンツ生成装置１０６Ａは、制御をステップ５５２に戻す。
【０１５５】
上述したステップ５５２において、利用者が、トップメニュー回帰ボタン３２８を押下すると、コンテンツ生成装置１０６Ａは、表示部１３２からオフライントップメニュー画面３２０を消去して、上述したステップ５００に戻る。
【０１５６】
上述したステップ５０２において、利用者が、オンラインボタン３０４を押下すると、コンテンツ生成装置１０６Ａは、オンライントップメニュー画面３４０を表示部１３２に表示する（図２９に示すステップ５８０）。コンテンツ生成装置１０６Ａは、利用者が、操作装置１３４を介してエントリボタン３４２、番組提供ボタン３４４、情報提供ボタン３４６、及び呼気バトルボタン３４８と、トップメニュー回帰ボタン３２８のいずれかを押下するまで待機する（図２９に示すステップ５８２）。
【０１５７】
上述したステップ５８２において、利用者が、エントリボタン３４２を押下すると、コンテンツ生成装置１０６Ａは、上述したランキング要求処理を実行する（図２９に示すステップ５８６）。コンテンツ生成装置１０６Ａは、図１９（Ａ）に示すガス選択画面４１０を表示部１３２に表示する。利用者は、ユーザＩＤ、生年月日を入力して、ガスを選択し、測定開始ボタン４１２を押下する。
【０１５８】
コンテンツ生成装置１０６Ａは、図１９（Ｂ）に示す呼気測定画面４１６を表示部１３２に表示する。利用者は、呼気センサ１５２に呼気を吹きかける。コンテンツ生成装置１０６Ａは、呼気から検出した各ガスの濃度を現在の日時で呼気情報ＤＢ２１２に記憶し、呼気ランキング要求パケット４６０を生成して、サーバ装置１０２に送信する。
【０１５９】
サーバ装置１０２は、コンテンツ生成装置１０６Ａから呼気ランキング要求パケット４６０を受信すると、上述したランキング処理を実行する（図３１に示すステップ６５２）。サーバ装置１０２は、パケット４６２を生成し、パケット４６２をコンテンツ生成装置１０６に送信する。
【０１６０】
コンテンツ生成装置１０６Ａは、サーバ装置１０２からパケット４６２を受信すると、パケット４６２の内容を示す結果画面４１８を表示部１３２に表示する。
【０１６１】
利用者は、結果画面４１８を参照することによって、インターネット１０４に接続されているコンテンツ生成装置１０６の利用者の中で、自分がどれだけ健康であるかを確認することができる。もし、順位が良かったとすれば、利用者は、健康維持に努めようと考えるだろう。逆に、順位が悪かったとすれば、利用者は、専門医に相談しようとしたり、健康を回復するための措置を講じたりするだろう。
【０１６２】
上述したステップ５８２において、利用者が、番組提供ボタン３４４を押下すると、コンテンツ生成装置１０６Ａは、上述した番組提供要求処理を実行する（図２９に示すステップ５８８）。コンテンツ生成装置１０６Ａは、図２０（Ａ）に示す呼気測定画面４１６を表示部１３２に表示し、利用者は、呼気センサ１５２に呼気を吹きかける。コンテンツ生成装置１０６Ａは、呼気から検出した各ガスの濃度を現在の日時で呼気情報ＤＢ２１２に記憶し、番組提供要求パケット４７０を生成して、サーバ装置１０２に送信する。
【０１６３】
サーバ装置１０２は、番組提供要求パケット４７０を受信すると、上述した番組提供処理を実行する（図３１に示すステップ６５４）。サーバ装置１０２は、番組データＤＢ２５０を参照して、番組提供要求パケット４７０のガスに一致するレコードの番組データを抽出し、パケット４７２を生成する。サーバ装置１０２は、生成したパケット４７２をコンテンツ生成装置１０６Ａに送信する。
【０１６４】
コンテンツ生成装置１０６Ａは、パケット４７２を受信すると、パケット４７２に含まれる番組データを列挙した、図２０（Ｂ）に示す画面を、表示部１３２に表示する。
【０１６５】
利用者は、図２０（Ｂ）に示す画面を参照することにより、自分の現在の健康状態に適したテレビ番組を見るための予定を立てたり、テレビ番組のビデオ予約をしたりすることができる。また、それらのテレビ番組を見ることによって、疾病を予防したりすることができる。
【０１６６】
上述したステップ５８２において、利用者が、情報提供ボタン３４６を押下すると、コンテンツ生成装置１０６Ａは、上述した情報提供要求処理を実行する（図２９に示すステップ５９０）。コンテンツ生成装置１０６Ａは、図２１（Ａ）に示す呼気測定画面４１６を表示部１３２に表示し、利用者は、呼気センサ１５２に呼気を吹きかける。コンテンツ生成装置１０６Ａは、呼気から検出した各ガスの濃度を現在の日時で呼気情報ＤＢ２１２に記憶し、情報提供要求パケット４８０を生成して、サーバ装置１０２に送信する。
【０１６７】
サーバ装置１０２は、情報提供要求パケット４８０を受信すると、上述した情報提供処理を実行する（図３１に示すステップ６５６）。サーバ装置１０２は、最新情報ＤＢ２５２を参照して、情報提供要求パケット４８０のガスに一致するレコードの最新情報データを抽出し、パケット４８２を生成する。サーバ装置１０２は、生成したパケット４８２をコンテンツ生成装置１０６Ａに送信する。
【０１６８】
コンテンツ生成装置１０６Ａは、パケット４８２を受信すると、パケット４８２に含まれる最新情報データのファイルへのリンクを列挙した、図２１（Ｂ）に示す画面を、表示部１３２に表示する。
【０１６９】
利用者は、図２１（Ｂ）に示す画面にある最新情報データのリンクをクリック等して、電子データをダウンロードする。利用者は、当該電子データを閲覧することによって、自分の健康状態に適した情報を獲得することができ、自分の健康状態を管理することができる。
【０１７０】
上述したステップ５８２において、利用者が、呼気バトルボタン３４８を押下すると、コンテンツ生成装置１０６Ａは、上述した呼気バトル要求処理を実行する（図２９に示すステップ５９２）。コンテンツ生成装置１０６Ａは、図２２（Ａ）に示す呼気バトルエントリ画面４４０を表示部１３２に表示する。
【０１７１】
利用者は、呼気バトルエントリ画面４４０において、ユーザＩＤ及び生年月日を入力して、エントリボタン４４２を押下する。
【０１７２】
コンテンツ生成装置１０６Ａは、呼気測定画面４１６を表示部１３２に表示して、利用者は、呼気を呼気センサ１５２に吹きかける。コンテンツ生成装置１０６Ａは、呼気から検出した各ガスの濃度を現在の日時で呼気情報ＤＢ２１２に記憶し、呼気バトル要求パケット４９０と同じ構成であるパケット４９０Ａを生成して、サーバ装置１０２に送信する。コンテンツ生成装置１０６Ａは、サーバ装置１０２から応答があるまで検索画面４４４を表示する。
【０１７３】
サーバ装置１０２は、呼気バトル要求パケット４９０Ａを受信すると、パケット４９０と同じ構成であるパケットを他のコンテンツ生成装置から受信するまで待機する。サーバ装置１０２が、コンテンツ生成装置１０６Ｂから、パケット４９０と同じ構成であるパケット４９０Ｂを受信したものとする。サーバ装置１０２は、パケット４９０Ａ及びパケット４９０Ｂの各々に対して、全てのガスの優良ポイントを算出して、パケット４９２を生成する。サーバ装置１０２は、生成したパケット４９２をコンテンツ生成装置１０６Ａ及び１０６Ｂの両方に送信する。
【０１７４】
コンテンツ生成装置１０６Ａが、パケット４９２を受信すると、パケット４９２に含まれるデータを反映した呼気バトル結果画面４４６を表示部１３２に表示する。
【０１７５】
利用者は、呼気バトル結果画面４４６を参照することにより、自分がどの疾病を患っているかを知ることができる。もし、利用者が勝利していれば、現在の健康状態を持続するように努めるためのモチベーションを高めることができるだろう。もし、利用者が敗北したり、勝利したとしても優良ポイントがあまりに低い結果が出たりすれば、利用者は、健康を回復するように努めるためのモチベーションを高めることができるだろう。
【０１７６】
［本実施の形態の効果］
以上の説明から明らかなように、本実施の形態に係るコンテンツ生成システム１００を利用することにより、利用者は、コンテンツ生成装置１０６に自らの呼気を入力し、コンテンツ生成装置１０６は、呼気から検出される情報により、利用者の健康状態を提示したり、コンテンツを提供したりすることができる。したがって、利用者は、コンテンツを楽しみながら、自分の健康状態を管理することができるため、飽きることなく長期間の間コンテンツ生成装置１０６を利用することができる。
【０１７７】
その結果、利用者は、健康な状態であれば、その状態を維持するように努めるだろうし、また、疾病を患っているという結果をコンテンツ生成装置１０６が提示すれば、即座に医師に相談しに行くことができる。また、利用者が疾病を患っているにもかかわらず自覚症状がなかったとしても、コンテンツ生成装置１０６により、呼気から検出される情報から疾病を患っているという結果が提示される可能性があるので、利用者は提示された内容を考慮して、疾病を予防するための措置を講ずることができる。
【０１７８】
［変形例］
上記した実施の形態では、コンテンツ生成装置１０６は、図２に示すように表示装置１３０及び操作装置１３４から構成されていた。しかし、本発明はそのような実施の形態には限定されず、コンテンツ生成装置１０６は、インターネット１０４に接続可能であり、呼気センサ及び表示部を含む携帯電話であって、上述した各種コンテンツを利用者に提供する携帯電話であっても良い。また、コンテンツ生成装置１０６は、ＰＨＳ（Ｐｅｒｓｏｎａｌ  Ｈａｎｄｙｐｈｏｎｅ  Ｓｙｓｔｅｍ）及びＰＤＡ（Ｐｅｒｓｏｎａｌ  Ｄｉｇｉｔａｌ  Ａｓｓｉｓｔａｎｔ）等の個人用携帯情報端末でもよく、デスクトップ型又はノート型のＰＣ（Ｐｅｒｓｏｎａｌ  Ｃｏｍｐｕｔｅｒ）でもよい。
【０１７９】
また、上記した実施の形態では、コンテンツ生成装置１０６の制御部１８２のプログラムの制御構造により、利用者は上述したコンテンツしか選択できなかった。しかし、本発明はそのような実施の形態には限定されない。今後、利用者の呼気から検出される情報を用いる新規のコンテンツのためのプログラムが開発された場合、サーバ装置１０２の管理者はそのようなプログラムをサーバ装置１０２に記憶させ、コンテンツ生成装置１０６がそのプログラムをサーバ装置１０２からダウンロードできるようにすればよい。コンテンツ生成装置１０６が、そのプログラムをダウンロードした後、上記した実施の形態において述べたコンテンツの他に、新規にダウンロードしたプログラムをも利用者に選択させるようにすれば良い。
【０１８０】
さらに、上記した実施の形態では、呼気ランキングコンテンツは、オンラインのコンテンツであった。しかし、本発明はそのような実施の形態には限定されず、呼気ランキングコンテンツは、オフラインのコンテンツでも良い。その場合、コンテンツ生成装置は、定期的に、任意のコンテンツ生成装置１０６の利用者の呼気から検出される情報をサーバ装置１０２から受信する。あるコンテンツ生成装置１０６の利用者が、オフラインの呼気ランキングコンテンツを利用する場合、コンテンツ生成装置１０６は、サーバ装置１０２から受信した最新の情報から、当該利用者の順位を算出する。オンラインの呼気ランキングコンテンツと同様にして、当該利用者が属さない年代と比較するために、当該利用者の呼気から検出される情報と、他の年代の利用者の呼気から検出される情報とを提示する。
【０１８１】
さらに、上記した実施の形態では、各コンテンツはオフラインのコンテンツ及びオンラインのコンテンツの２種類で分類されていた。しかし、本発明は、そのような実施の形態には限定されず、各種コンテンツを様々な種類で分類しても良い。例えば、各種コンテンツを、動画コンテンツ、漫画コンテンツ、及びゲームコンテンツ等で分類しても良い。
【０１８２】
その場合、利用者にコンテンツの種類を選択させて、選択された種類のコンテンツを自動的に検索して提示する機能をコンテンツ生成システム１００に設けても良い。具体的には、以下に述べる通りである。
【０１８３】
コンテンツ生成装置１０６は、利用者にコンテンツの種類を選択させる。コンテンツ生成装置１０６は、選択された種類と、利用者の呼気に関する情報とをサーバ装置１０２に送信する。サーバ装置１０２は、利用者の呼気に関する情報に適した、選択された種類に属するコンテンツを検索する。サーバ装置１０２は、検索したコンテンツ名をコンテンツ生成装置１０６に送信し、コンテンツ生成装置１０６は、サーバ装置１０２から受信したコンテンツ名を利用者に提示する。利用者は、提示されたコンテンツ名を見ることによって、そのコンテンツを利用するか否かを考察することができる。
【０１８４】
さらに、上記した実施の形態では、コンテンツ生成装置１０６が提供するコンテンツは、上述したコンテンツのみに限られず、上述したコンテンツの他に、利用者の呼気から検出される情報を用いるコンテンツであれば何でも良い。例えば、オンラインのＲＰＧゲームであって、利用者の呼気から検出される情報から、キャラクタが特異的に成長するようなＲＰＧゲームを提供するコンテンツであっても良い。
【０１８５】
上述した実施の形態では、ＲＰＧコンテンツでは、呼気から検出された情報によりキャラクタがどのように成長するかということしか述べていなかった。しかし、本発明はそのような実施の形態には限定されない。例えば、ＲＰＧゲームの戦闘シーンにおいて、戦闘結果が、呼気から検出される情報によって依存するようにしても良い。例えば、ＲＰＧゲームの戦闘シーンにおいて、キャラクタの体の部位を選択して攻撃が可能であるものとする。呼気から検出された各ガスの濃度から、胃腸疾患を患っているという結果が出力されたものとする。その場合、もし、戦闘の相手から胃腸を含む部分を攻撃された場合に、ＨＰが激減するようにしてもよく、また、呼気から検出された各ガスの濃度から腎臓疾患を患っているという結果が出力されれば、腎臓を含む部分を攻撃された場合に、ＨＰが激減するようにしてもよい。また、肺疾患を患っていれば、それはすぐに息切れすることを意味するので、体のどの部分を攻撃されたとしても、ＨＰの減少量を通常より多くすればよい。
【０１８６】
また、ＲＰＧコンテンツで用いられるキャラクタ成長条件ＤＢ２１０には、化学物質及び疾病ポイントごとに成長ポイントが定められており、レベルアップ時には成長ポイントに格納されている数値だけステータスの数値が上昇するようになっていた。しかし、本発明は、そのような実施の形態には限定されず、レベルアップ時の上昇値は、成長ポイントに基づく乱数により定めても良い。例えば、成長ポイントフィールドに記憶されている値を平均値とする正規乱数をレベルアップ時の上昇値としても良い。
【０１８７】
さらに、ＲＰＧコンテンツでは、呼気から検出される各化学物質の濃度に応じた、アイテム入手及びイベント発生を生じさせても良い。そのようなアイテム入手及びイベント発生は、通常のプレイをどんなに続けても発生しないようなものにすることが望ましい。ＲＰＧコンテンツをそのような仕組みにすることにより、コンテンツ生成装置１０６は、利用者毎に異なる楽しみを提供することができる。
【０１８８】
また、コンテンツ生成装置１０６は、ＲＰＧゲームの他にも、野球及びサッカー等のスポーツゲームであって、呼気から検出される情報に依存するようなゲームのためのコンテンツを提供しても良い。例えば、野球ゲームのためのコンテンツの場合、呼気から検出される各ガスの濃度により、肺疾患を患っているという結果が出力されれば、選手のスタミナ量を通常より低く設定する等の処理を行なえば良い。また、呼気から代謝異常という結果が出力されれば、ゲーム内の選手が試合及び練習をいくら繰返しても、敏捷性があまり上昇しないという効果を加えても良い。
【０１８９】
また、コンテンツ生成装置１０６は、表示装置にキャラクタを表示して、呼気から検出される情報に応じてキャラクタを育成するためのキャラ育成コンテンツを提供しても良い。このコンテンツにおいて表示されるキャラクタとは、例えば、実在する生物、又は空想上の生物の画像である。当該コンテンツでは、表示装置上においてキャラクタに餌を与える操作をさせたり、キャラクタの排泄物を掃除する操作をさせたりして、キャラクタを利用者に育成させる。利用者の呼気から検出される疾病ポイントに応じて、キャラクタが特異的に成長したり、利用者と同じ疾病を患っているように表示したりする機能を設けても良い。
【０１９０】
上述した成分占いコンテンツは、オンラインで実行されても良い。
【０１９１】
また、上記した実施の形態では、成分占いコンテンツに利用される文書ＤＢ２０６の文書データフィールドには、ガス名及び疾病ポイントの範囲ごとに、１つの文書データが記憶されていた。しかし、本発明はそのような実施の形態には限定されず、ガス名及び疾病ポイントの範囲ごとに、複数の文書データを用意しても良い。その場合、どの文書データを表示するかは、乱数で決定するようにしても良い。
【０１９２】
利用者の疾病ポイントは、１日のうちにさほど変化するものではない。したがって、文書ＤＢ２０６をそのような構成にすることにより、コンテンツ生成装置１０６は、１日のうちに複数回成分占いコンテンツが利用されたとしても、異なる文書を表示することができる。その結果、利用者は当該コンテンツを飽きることなく楽しむことができる。
【０１９３】
さらに、上述した成分占いコンテンツで利用される文書ＤＢ２０６では、複数の化学物質の組合せごとに、異なる文書を用意しても良い。例えば、ストレス疾患のための指標であるペンタンの疾病ポイント、及び胃腸疾患のための指標である水素の疾病ポイントの各々が７５〜１００であり、かつ、メタボリックシンドロームのための指標であるアセトンの疾病ポイントが２５〜５０である場合に、以下の文書を表示するようにしても良い。
【０１９４】
「イライラしても、思いっきり食べて飲んでストレス解消なんてダメ。運動してさわやかな汗をかいて、リフレッシュしましょう。」
また、ペンタン、水素、及びアセトンの疾病ポイントがそれぞれ７５〜１００、０、及び０である場合に、以下の文書を表示するようにしても良い。
【０１９５】
「イライラしたら、たまには自分へのご褒美として、おいしいデザートを食べて癒されてもいいのでは？」
【０１９６】
さらに、上述した実施の形態では、最新情報ＤＢ２５２に記憶される最新情報データは、単に電子データであると述べた。本発明では、当該電子データの形式は何でも良い。また、学術論文だけでなく、疾病に関する新聞記事等を各種ファイルの形式で提供するようにしてもよく、インターネット上で流通しているホームページ等のアドレスを提供するようにしても良い。さらに、疾病研究に関する学会発表及びシンポジウム等の開催日時及び開催場所等を提供するようにしても良い。
【０１９７】
さらに、上記した健康情報番組提供コンテンツでは、健康情報番組の放送元となるテレビ局、放送時間帯、及び番組名等を利用者に提示していたが、本発明はそのような実施の形態には限定されない。それらの他にも、健康問題に関する情報を提供するための、市場で販売されているＤＶＤ（Ｄｉｇｉｔａｌ  Ｖｅｒｓａｔｉｌｅ  Ｄｉｓｃ）及びビデオテープ等を呼気から検出される情報に応じて紹介するようにしても良い。
【０１９８】
さらに、上記した履歴表示コンテンツは、オフラインのコンテンツであった。しかし、本発明はそのような実施の形態には限定されず、履歴表示コンテンツはオンラインのコンテンツでも良い。例えば、オンラインで、各化学物質の履歴を他の同年代の利用者と比較する等のコンテンツでも良い。
【０１９９】
さらに、上記した実施の形態では、呼気基準値ＤＢ２１４及び２４８において、各化学物質の健康時平均値及び不調時平均値は年代ごとに記憶されていた。しかし、各化学物質の健康時平均値及び不調時平均値は、一般的には利用者ごとに異なるものであると考えられる。したがって、本発明において、各化学物質の濃度の健康時平均値及び不調時平均値は、年代ごとではなく利用者ごとに記憶されていても良い。そのような場合、例えば、呼気基準値ＤＢ２１４及び２４８において、年代の範囲フィールドの代わりに、利用者のユーザＩＤを記憶するためのユーザＩＤフィールドを設けても良い。ある利用者の疾病ポイント及び優良ポイントを算出する場合、当該利用者のユーザＩＤに対応する健康時平均値を用いて算出するようにすれば良い。
【０２００】
呼気基準値ＤＢをそのような構成にした場合、コンテンツ生成装置１０６は、当該呼気基準値ＤＢを日々メンテナンスすることが望ましい。なぜなら、各利用者の健康時平均値及び不調時平均値は、年齢を重ねるにつれて日々変化していくものだからである。そのために、呼気の濃度が測定される度に、呼気基準値ＤＢの各利用者に対応するレコードに対して、健康時であれば測定された濃度値を健康時平均値に反映させるようにすればよい。逆に、不健康時であれば、測定された濃度値を不調時平均値に反映させるようにすればよい。そのように、呼気基準値ＤＢが常にメンテナンスされていくことで、コンテンツ生成装置１０６は、最新の健康時平均値及び不調時平均値で各利用者の疾病ポイントを算出することができ、各利用者の健康状態を正確に提示することができる。
【０２０１】
さらに、上記した実施の形態では、呼気センサ１５２が測定するものは、ＮＯ、ＣＯ、Ｈ２Ｏ２、エタン、ペンタン、水素、アンモニア、アセトン、及びメチルメルカプタンの濃度であった。しかし、本発明はそのような実施の形態には限定されず、呼気センサ１５２が測定する化学物質の濃度は、呼気から濃度が測定されるものであれば何でも良い。
【０２０２】
さらに、上記した実施の形態では、呼気センサ１５２は、複数のガスの濃度をｐｐｂレベルで同時に検出していた。本発明において、上記した機能を実現できるのであれば、呼気センサ１５２の構成は何でも良い。例えば、そのような呼気センサとして、特定化学物質を選択的に吸着する物質で表面修飾されたカーボンナノ構造体を含む複数のガスセンサ素子からなる物でも良い。
【０２０３】
さらに、上記した実施の形態では、サーバ装置１０２がある場所は、特に明示されていなかった。サーバ装置１０２がある場所はどのような場所でも良い。例えば、動画コンテンツ等を生成するテレビ局にサーバ装置１０２が設置されていても良い。
【０２０４】
さらに、上記した実施の形態では、サーバ装置１０２とコンテンツ生成装置１０６とは分離された異なる装置であった。しかし、本発明は、そのような実施の形態には限定されず、サーバ装置１０２及びコンテンツ生成装置１０６の両方の機能を１つの装置に設けても良い。例えば、コンテンツ生成装置１０６Ａが、サーバ装置１０２の機能をさらに備えており、オンラインのコンテンツを他の装置に提供することができるものとする。他のコンテンツ生成装置１０６Ｂ及び１０６Ｃ等は、コンテンツ生成装置１０６Ａが生成する当該コンテンツを利用することができ、また、コンテンツ生成装置１０６Ａの利用者も、コンテンツ生成装置１０６Ａを用いて当該コンテンツを利用することができるようにしても良い。
【０２０５】
さらに、上記した実施の形態では、呼気センサ１５２は、被験者の呼気から、複数のガスの濃度を検出していた。しかし、本発明は、そのような実施の形態には限定されず、呼気の他に、被験者の生体から検出される生体試料であれば、どのようなものからでも、複数のガスの濃度を検出しても良い。被験者の生体試料は、呼気の他に、被験者の血液、汗、涙、及び体臭等であっても良い。したがって、それらの生体試料から、複数のガスの濃度を検出できるセンサを用意しても良い。
【０２０６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【図面の簡単な説明】
【０２０７】
【図１】本発明の実施の形態に係るコンテンツ生成システム１００のネットワーク環境を示す図である。
【図２】図１に示すコンテンツ生成装置１０６の外観構成を示す図である。
【図３】図２に示す操作装置１３４のブロック図である。
【図４】図２に示す表示装置１３０のブロック図である。
【図５】図４に示す記憶部１８０及び制御部１８２の構成を示す図である。
【図６】図１に示すサーバ装置１０２のブロック図である。
【図７】図５に示す呼気情報ＤＢ２１２の構成を示す図である。
【図８】図５に示す文書ＤＢ２０６の構成を示す図である。
【図９】図５に示す呼気基準値ＤＢ２１４の構成を示す図である。
【図１０】図５に示すキャラクタ情報ＤＢ２０８の構成を示す図である。
【図１１】図５に示すキャラクタ成長条件ＤＢ２１０の構成を示す図である。
【図１２】図６に示す呼気情報ＤＢ２４６の構成を示す図である。
【図１３】図６に示す番組データＤＢ２５０の構成を示す図である。
【図１４】図６に示す最新情報ＤＢ２５２の構成を示す図である。
【図１５】コンテンツ生成装置１０６が提供するコンテンツのためのメニュー画面等を示す図である。
【図１６】コンテンツ生成装置１０６が提供する履歴表示コンテンツのための画面を示す図である。
【図１７】コンテンツ生成装置１０６が提供する成分占いコンテンツのための画面を示す図である。
【図１８】コンテンツ生成装置１０６が提供するＲＰＧコンテンツのための画面を示す図である。
【図１９】コンテンツ生成装置１０６が提供する呼気ランキングコンテンツのための画面を示す図である。
【図２０】コンテンツ生成装置１０６が提供する健康情報番組提供コンテンツのための画面を示す図である。
【図２１】コンテンツ生成装置１０６が提供する最新情報提供コンテンツのための画面を示す図である。
【図２２】コンテンツ生成装置１０６が提供する呼気バトルコンテンツのための画面を示す図である。
【図２３】コンテンツ生成装置１０６が呼気ランキングコンテンツを提供するときに、サーバ装置１０２と送受信するパケットの構成を示す図である。
【図２４】コンテンツ生成装置１０６が健康情報番組情報提供コンテンツを提供するときに、サーバ装置１０２と送受信するパケットの構成を示す図である。
【図２５】コンテンツ生成装置１０６が最新情報提供コンテンツを提供するときに、サーバ装置１０２と送受信するパケットの構成を示す図である。
【図２６】コンテンツ生成装置１０６が呼気バトルコンテンツを提供するときに、サーバ装置１０２と送受信するパケットの構成を示す図である。
【図２７】制御部１８２の機能を実現するコンピュータプログラムの制御構造を示すフローチャートである。
【図２８】図２７に示すステップ５０６の詳細なフローを示す図である。
【図２９】図２７に示すステップ５０８の詳細なフローを示す図である。
【図３０】図２７に示すステップ５１０の詳細なフローを示す図である。
【図３１】制御部２４０の機能を実現するコンピュータプログラムの制御構造を示すフローチャートである。
【符号の説明】
【０２０８】
１００  コンテンツ生成システム
１０２  サーバ装置
１０４  インターネット
１０６  コンテンツ生成装置
１３０  表示装置
１３２  表示部
１３４  操作装置
１５０  呼気
１５２  呼気センサ
１５６，２４４  通信装置
１５８  入力装置
１７０  第１の通信装置
１７２  オンラインアプリ実行部
１７４  オフラインアプリ実行部
１７６  呼気測定部
１７８  第２の通信装置
１８０，２４２  記憶部
１８２，２４０  制御部
２００  成分占い実行部
２０２  キャラクタ生成部
２０４  履歴表示部
２０６  文書ＤＢ
２０８  キャラクタ情報ＤＢ
２１０  キャラクタ成長条件ＤＢ
２１２，２４６  呼気情報ＤＢ
２１４，２４８  呼気基準値ＤＢ
２５０  番組データＤＢ
２５２  最新情報ＤＢ
【図１】
2010026748.tif 000003
【図２】
2010026748.tif 000004
【図３】
2010026748.tif 000005
【図４】
2010026748.tif 000006
【図５】
2010026748.tif 000007
【図６】
2010026748.tif 000008
【図７】
2010026748.tif 000009
【図８】
2010026748.tif 000010
【図９】
2010026748.tif 000011
【図１０】
2010026748.tif 000012
【図１１】
2010026748.tif 000013
【図１２】
2010026748.tif 000014
【図１３】
2010026748.tif 000015
【図１４】
2010026748.tif 000016
【図１５】
2010026748.tif 000017
【図１６】
2010026748.tif 000018
【図１７】
2010026748.tif 000019
【図１８】
2010026748.tif 000020
【図１９】
2010026748.tif 000021
【図２０】
2010026748.tif 000022
【図２１】
2010026748.tif 000023
【図２２】
2010026748.tif 000024
【図２３】
2010026748.tif 000025
【図２４】
2010026748.tif 000026
【図２５】
2010026748.tif 000027
【図２６】
2010026748.tif 000028
【図２７】
2010026748.tif 000029
【図２８】
2010026748.tif 000030
【図２９】
2010026748.tif 000031
【図３０】
2010026748.tif 000032
【図３１】
2010026748.tif 000033